(57)【特許請求の範囲】
【請求項１】
ワイヤレス通信のための方法であって、
第２のセルにおける伝送を制限することによって第１のセルにおける伝送が保護される第１の組のリソースに関するチャネル状態情報（ＣＳＩ）を、ユーザ機器が周期的にレポートすることと、
前記第１のセルにおけるリソースのうち、前記第１の組のリソースを除く第２の組のリソースに関するＣＳＩを、前記ユーザ機器が周期的にレポートすることと
を備える方法。
【請求項２】
少なくとも前記第１の組のリソースを示すリソース区画情報（ＲＰＩ：ｒｅｓｏｕｒｃｅ  ｐａｒｔｉｔｉｏｎｉｎｇ  ｉｎｆｏｒｍａｔｉｏｎ）を、前記ユーザ機器が受信することをさらに備える請求項１に記載の方法。
【請求項３】
前記第１の組のリソースは、前記第２のセルにおける伝送を制限することによって前記第１のセルにおける伝送が保護される、ＲＰＩによって示される基地局に割り当てられたサブフレームの第１の部分集合を備え、
前記第２の組のリソースは、前記基地局に割り当てられた前記サブフレームの第２の部分集合を備える請求項１に記載の方法。
【請求項４】
前記第１の組のリソースは、サブバンド、組すなわちリソースブロック（ＲＢ）、またはサブフレームのうちの少なくとも１つを備える請求項１に記載の方法。
【請求項５】
前記第１および第２の組のリソースに関するＣＳＩを何時レポートするかを示す構成情報を、前記ユーザ機器が受信することをさらに備える請求項１に記載の方法。
【請求項６】
前記第１の組のリソースに関するＣＳＩは、第１のレポートに一緒にエンコードされたＣＱＩおよびＲＩを備え、
前記第２の組のリソースに関するＣＳＩは、第２のレポートに一緒にエンコードされたＣＱＩおよびＲＩを備える請求項１に記載の方法。
【請求項７】
前記第１および第２のレポートは時分割多重（ＴＤＭ）を使用して送信される請求項６に記載の方法。
【請求項８】
構成情報が、
前記第１の組のリソースに関するＣＳＩをレポートするための少なくとも第１の期間を備える請求項７に記載の方法。
【請求項９】
前記構成情報が、
前記第２の組のリソースに関するＣＳＩをレポートするための少なくとも第２の期間を備える請求項８に記載の方法。
【請求項１０】
前記構成情報が、
前記第１の期間内に前記第２の組のリソースに関するＣＳＩをレポートするためのオフセットを備える請求項８に記載の方法。
【請求項１１】
前記第１および第２の組のリソースの少なくとも１つに関するＣＳＩがプリコーディングマトリクスインデックス（ＰＭＩ：ｐｒｅｃｏｄｉｎｇ  ｍａｔｒｉｘ  ｉｎｄｅｘ）を備える請求項７に記載の方法。
【請求項１２】
前記第１および第２の組のリソースのうちの１つにのみ関してレポートされるＣＳＩがプリコーディングマトリクスインデックス（ＰＭＩ）を備える請求項１１に記載の方法。
【請求項１３】
前記第１および第２の組のリソースのそれぞれに関するＣＳＩが少なくとも１つのチャネル品質インジケータ（ＣＱＩ）を備える請求項１に記載の方法。
【請求項１４】
前記第１および第２の組のリソースに関するＣＱＩが一緒に１つの共通レポートにエンコードされてレポートされる請求項１３に記載の方法。
【請求項１５】
前記第１および第２の組のリソースに関するＣＱＩは、時分割多重（ＴＤＭ）を使用して送信される別個のレポートでレポートされる請求項１３に記載の方法。
【請求項１６】
前記第１および第２の組のリソースの少なくとも１つに関するＣＳＩが、ランク指標（ＲＩ）によって示される複数の層に依存する複数のＣＱＩを備える請求項１３に記載の方法。
【請求項１７】
前記第１および第２の組のリソースの少なくとも１つに関するＣＳＩが、システム帯域幅の範囲に対して特定される広帯域ＣＱＩを備える請求項１３に記載の方法。
【請求項１８】
前記第１および第２の組のリソースの少なくとも１つに関するＣＳＩが１つまたは複数のサブバンドＣＱＩを備え、各サブバンドＣＱＩは特定のサブバンドに対して特定される請求項１３に記載の方法。
【請求項１９】
前記第１の組のリソースに関するＣＳＩは、それぞれが特定のサブバンドに対して特定された１つまたは複数のサブバンドＣＱＩを備え、
前記第２の組のリソースに関するＣＳＩは、システム帯域幅の範囲に対して特定される広帯域ＣＱＩを備える請求項１８に記載の方法。
【請求項２０】
前記第１および第２の組のリソースの少なくとも１つに関するＣＳＩがランク指標（ＲＩ）を備える請求項１に記載の方法。
【請求項２１】
前記第１および第２の組のリソースに関するＲＩが一緒に１つの共通レポートにエンコードされてレポートされる請求項２０に記載の方法。
【請求項２２】
前記第１の組のリソースのみに関するＲＩがレポートされる請求項２０に記載の方法。
【請求項２３】
前記第１および第２の組のリソースの少なくとも１つに関するＣＳＩがプリコーダマトリクスインデックス（ＰＭＩ：ｐｒｅｃｏｄｅｒ  ｍａｔｒｉｘ  ｉｎｄｅｘ）を備える請求項１に記載の方法。
【請求項２４】
第２のセルにおける伝送を制限することによって第１のセルにおける伝送が保護されるリソースを使用してスケジューリング要求を、前記ユーザ機器が送信することをさらに備える請求項１に記載の方法。
【請求項２５】
前記第１および第２の組のリソースの少なくとも１つに関してレポートされたＣＳＩと共に前記スケジューリング要求が送信される請求項２４に記載の方法。
【請求項２６】
前記第１および第２の組のリソースの少なくとも１つに関するＣＳＩが物理アップリンク制御チャネル（ＰＵＣＣＨ）で送信される請求項１に記載の方法。
【請求項２７】
前記第１および第２の組のリソースの少なくとも１つに関するＣＳＩが物理アップリンク共有チャネル（ＰＵＳＣＨ）でトラヒックデータと共に送信される請求項１に記載の方法。
【請求項２８】
前記第１および第２の組のリソースに関するＣＳＩがそれぞれチャネル品質インジケータ（ＣＱＩ）を備え、
前記第１および第２の組のリソースの少なくとも１つに関するＣＳＩがランク指標（ＲＩ）を備える請求項２７に記載の方法。
【請求項２９】
前記第１の組のリソースに関するＲＩペイロードと前記第２の組のリソースに関するＲＩペイロードとが連結され、前記連結されたペイロードがエンコードされる請求項２８に記載の方法。
【請求項３０】
前記連結されたＲＩペイロードのエンコーディングが、１つまたは複数のパリティビットを付加することを含む請求項２９に記載の方法。
【請求項３１】
前記エンコードされたＲＩペイロードが、ＰＵＳＣＨ上のトラヒックデータおよび他のエンコードされた制御情報と多重化される請求項２９に記載の方法。
【請求項３２】
前記ＲＩペイロードと前記ＣＱＩペイロードとが連結され、前記連結されたペイロードがエンコードされる請求項２８に記載の方法。
【請求項３３】
前記連結されたＣＱＩおよびＲＩペイロードのエンコーディングが、ＣＱＩペイロードのエンコーディングと同じ規則に従う請求項３２に記載の方法。
【請求項３４】
前記連結されエンコードされたペイロードが、ＰＵＳＣＨ上のトラヒックデータおよび他のエンコードされた制御情報と多重化される請求項３２に記載の方法。
【請求項３５】
前記ＲＩペイロードが別個にエンコードされ、前記エンコードされたペイロードが連結される請求項２８に記載の方法。
【請求項３６】
前記連結されエンコードされたペイロードが、ＰＵＳＣＨ上のトラヒックデータおよび他のエンコードされた制御情報と多重化される請求項３５に記載の方法。
【請求項３７】
ワイヤレス通信のための方法であって、
第２のセルにおける伝送を制限することによって第１のセルにおける伝送が保護される第１の組のリソースに関して周期的にレポートされたチャネル状態情報（ＣＳＩ）を、ｅＮＢ（発展型ノードＢ）が受信することと、
前記第１のセルにおけるリソースのうち、前記第１の組のリソースを除く第２の組のリソースに関して周期的にレポートされたＣＳＩを、前記ｅＮＢが受信することと
を備える方法。
【請求項３８】
少なくとも前記第１の組のリソースを示すリソース区画情報（ＲＰＩ）を、前記ｅＮＢが送信することをさらに備える請求項３７に記載の方法。
【請求項３９】
前記第１の組のリソースは、前記第２のセルにおける伝送を制限することによって前記第１のセルにおける伝送が保護される、ＲＰＩによって示される基地局に割り当てられたサブフレームの第１の部分集合を備え、
前記第２の組のリソースは、前記基地局に割り当てられた前記サブフレームの第２の部分集合を備える請求項３７に記載の方法。
【請求項４０】
前記第１の組のリソースは、サブバンド、組すなわちリソースブロック（ＲＢ）、またはサブフレームのうちの少なくとも１つを備える請求項３７に記載の方法。
【請求項４１】
前記第１および第２の組のリソースに関するＣＳＩを何時レポートするかを示す構成情報を、前記ｅＮＢが送信することをさらに備える請求項３７に記載の方法。
【請求項４２】
前記第１の組のリソースに関するＣＳＩは、第１のレポートに一緒にエンコードされたＣＱＩおよびＲＩを備え、
前記第２の組のリソースに関するＣＳＩは、第２のレポートに一緒にエンコードされたＣＱＩおよびＲＩを備える請求項３７に記載の方法。
【請求項４３】
前記第１および第２のレポートは時分割多重（ＴＤＭ）を使用して送信される請求項４２に記載の方法。
【請求項４４】
構成情報が、
前記第１の組のリソースに関するＣＳＩをレポートするための少なくとも第１の期間を備える請求項４３に記載の方法。
【請求項４５】
前記構成情報が、
前記第２の組のリソースに関するＣＳＩをレポートするための少なくとも第２の期間を備える請求項４４に記載の方法。
【請求項４６】
前記構成情報が、
前記第１の期間内に前記第２の組のリソースに関するＣＳＩをレポートするためのオフセットを備える請求項４４に記載の方法。
【請求項４７】
前記第１および第２の組のリソースの少なくとも１つに関するＣＳＩがプリコーディングマトリクスインデックス（ＰＭＩ）を備える請求項４３に記載の方法。
【請求項４８】
ワイヤレス通信のためのユーザ機器における装置であって、
第２のセルにおける伝送を制限することによって第１のセルにおける伝送が保護される第１の組のリソースに関するチャネル状態情報（ＣＳＩ）を周期的にレポートするための手段と、
前記第１のセルにおけるリソースのうち、前記第１の組のリソースを除く第２の組のリソースに関するＣＳＩを周期的にレポートするための手段と
を備える装置。
【請求項４９】
少なくとも前記第１の組のリソースを示すリソース区画情報（ＲＰＩ）を受信するための手段をさらに備える請求項４８に記載の装置。
【請求項５０】
前記第１の組のリソースは、前記第２のセルにおける伝送を制限することによって前記第１のセルにおける伝送が保護される、ＲＰＩによって示される基地局に割り当てられたサブフレームの第１の部分集合を備え、
前記第２の組のリソースは、前記基地局に割り当てられた前記サブフレームの第２の部分集合を備える請求項４８に記載の装置。
【請求項５１】
前記第１の組のリソースは、サブバンド、組すなわちリソースブロック（ＲＢ）、またはサブフレームのうちの少なくとも１つを備える請求項４８に記載の装置。
【請求項５２】
前記第１および第２の組のリソースに関するＣＳＩを何時レポートするかを示す構成情報を受信するための手段をさらに備える請求項４８に記載の装置。
【請求項５３】
前記第１の組のリソースに関するＣＳＩは、第１のレポートに一緒にエンコードされたＣＱＩおよびＲＩを備え、
前記第２の組のリソースに関するＣＳＩは、第２のレポートに一緒にエンコードされたＣＱＩおよびＲＩを備える請求項４８に記載の装置。
【請求項５４】
前記第１および第２のレポートは時分割多重（ＴＤＭ）を使用して送信される請求項５３に記載の装置。
【請求項５５】
構成情報が、
前記第１の組のリソースに関するＣＳＩをレポートするための少なくとも第１の期間を備える請求項５３に記載の装置。
【請求項５６】
前記構成情報が、
前記第２の組のリソースに関するＣＳＩをレポートするための少なくとも第２の期間を備える請求項５５に記載の装置。
【請求項５７】
前記構成情報が、
前記第１の期間内に前記第２の組のリソースに関するＣＳＩをレポートするためのオフセットを備える請求項５５に記載の装置。
【請求項５８】
ワイヤレス通信のためのｅＮＢ（発展型ノードＢ）であって、
第２のセルにおける伝送を制限することによって第１のセルにおける伝送が保護される第１の組のリソースに関して周期的にレポートされたチャネル状態情報（ＣＳＩ）を受信するための手段と、
前記第１のセルにおけるリソースのうち、前記第１の組のリソースを除く第２の組のリソースに関して周期的にレポートされたＣＳＩを受信するための手段と
を備えるｅＮＢ。
【請求項５９】
少なくとも前記第１の組のリソースを示すリソース区画情報（ＲＰＩ）を送信するための手段をさらに備える請求項５８に記載のｅＮＢ。
【請求項６０】
前記第１の組のリソースは、前記第２のセルにおける伝送を制限することによって前記第１のセルにおける伝送が保護される、ＲＰＩによって示される基地局に割り当てられたサブフレームの第１の部分集合を備え、
前記第２の組のリソースは、前記基地局に割り当てられた前記サブフレームの第２の部分集合を備える請求項５８に記載のｅＮＢ。
【請求項６１】
前記第１の組のリソースは、サブバンド、組すなわちリソースブロック（ＲＢ）、またはサブフレームのうちの少なくとも１つを備える請求項５８に記載のｅＮＢ。
【請求項６２】
前記第１および第２の組のリソースに関するＣＳＩを何時レポートするかを示す構成情報を送信するための手段をさらに備える請求項５８に記載のｅＮＢ。
【請求項６３】
前記第１の組のリソースに関するＣＳＩは、第１のレポートに一緒にエンコードされたＣＱＩおよびＲＩを備え、
前記第２の組のリソースに関するＣＳＩは、第２のレポートに一緒にエンコードされたＣＱＩおよびＲＩを備える請求項５８に記載のｅＮＢ。
【請求項６４】
前記第１および第２のレポートは時分割多重（ＴＤＭ）を使用して送信される請求項６３に記載のｅＮＢ。
【請求項６５】
構成情報が、
前記第１の組のリソースに関するＣＳＩをレポートするための少なくとも第１の期間を備える請求項６４に記載のｅＮＢ。
【請求項６６】
前記構成情報が、
前記第２の組のリソースに関するＣＳＩをレポートするための少なくとも第２の期間を備える請求項６５に記載のｅＮＢ。
【請求項６７】
前記構成情報が、
前記第１の期間内に前記第２の組のリソースに関するＣＳＩをレポートするためのオフセットを備える請求項６５に記載のｅＮＢ。
【請求項６８】
前記第１および第２の組のリソースの少なくとも１つに関するＣＳＩがプリコーディングマトリクスインデックス（ＰＭＩ）を備える請求項６４に記載のｅＮＢ。
【請求項６９】
第２のセルにおける伝送を制限することによって第１のセルにおける伝送が保護される第１の組のリソースに関するチャネル状態情報（ＣＳＩ）を周期的にレポートし、前記第１のセルにおけるリソースのうち、前記第１の組のリソースを除く第２の組のリソースに関するＣＳＩを周期的にレポートするように構成された少なくとも１つのプロセッサと、
前記少なくとも１つのプロセッサと連結されたメモリと
を備えるユーザ機器における装置。
【請求項７０】
第２のセルにおける伝送を制限することによって第１のセルにおける伝送が保護される第１の組のリソースに関して周期的にレポートされたチャネル状態情報（ＣＳＩ）を受信し、前記第１のセルにおけるリソースのうち、前記第１の組のリソースを除く第２の組のリソースに関して周期的にレポートされたＣＳＩを受信するように構成された少なくとも１つのプロセッサと、
前記少なくとも１つのプロセッサと連結されたメモリと
を備えるｅＮＢ（発展型ノードＢ）。
【請求項７１】
命令を記憶したコンピュータ可読媒体であって、前記命令は、
ユーザ機器における１つまたは複数のプロセッサに、第２のセルにおける伝送を制限することによって第１のセルにおける伝送が保護される第１の組のリソースに関するチャネル状態情報（ＣＳＩ）を周期的にレポートさせるコードと、
前記ユーザ機器における前記１つまたは複数のプロセッサに、前記第１のセルにおけるリソースのうち、前記第１の組のリソースを除く第２の組のリソースに関するＣＳＩを周期的にレポートさせるコードと
を具備するコンピュータ可読媒体。
【請求項７２】
命令を記憶したコンピュータ可読媒体であって、前記命令は、
ｅＮＢ（発展型ノードＢ）における１つまたは複数のプロセッサに、第２のセルにおける伝送を制限することによって第１のセルにおける伝送が保護される第１の組のリソースに関して周期的にレポートされたチャネル状態情報（ＣＳＩ）を受信させるコードと、
前記ｅＮＢ（発展型ノードＢ）における前記１つまたは複数のプロセッサに、前記第１のセルにおけるリソースのうち、前記第１の組のリソースを除く第２の組のリソースに関して周期的にレポートされたＣＳＩを受信させるコードと
を具備するコンピュータ可読媒体。
【発明の詳細な説明】
【技術分野】
【０００１】
関連出願の相互参照
本出願は、参照によりその全体を本明細書に明白に組み込んだ「ＰＥＲＩＯＤＩＣ  ＣＱＩ  ＲＥＰＯＲＴＩＮＧ  ＩＮ  Ａ  ＷＩＲＥＬＥＳＳ  ＣＯＭＭＵＮＩＣＡＴＩＯＮ  ＮＥＴＷＯＲＫ」という名称の２０１０年４月１３日出願の米国仮出願第６１／３２３，８２９号の優先権を主張する。
【０００２】
本開示は、全般的に通信に関し、より具体的にはワイヤレス通信ネットワークにおけるチャネル状態情報（ＣＳＩ）をレポートするための技術に関する。
【背景技術】
【０００３】
ワイヤレス通信ネットワークは、音声、ビデオ、パケットデータ、メッセージング、ブロードキャストなどといった様々な通信コンテンツを提供するために広範囲に展開されている。これらのワイヤレスネットワークは、使用可能なネットワークリソースを共有することによってマルチユーザをサポートすることのできるマルチアクセスネットワークであってよい。このようなマルチアクセスネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークがある。
【０００４】
ワイヤレス通信ネットワークは、複数のユーザ機器（ＵＥ）への通信をサポートすることのできる複数の基地局を含むことができる。ＵＥは、ダウンリンクとアップリンクとを介して基地局と通信することができる。ダウンリンク（または順方向リンク）は基地局からＵＥへの通信リンクのことであり、アップリンク（または逆方向リンク）はＵＥから基地局への通信リンクのことである。
【発明の概要】
【０００５】
本開示のいくつかの態様は、ワイヤレス通信のための方法を提供する。本方法は、全般的に、第２のセルにおける伝送を制限することによって第１のセルにおける伝送が保護される第１の組のリソースに関するチャネル状態情報（ＣＳＩ）を周期的にレポートすることと、第２の組のリソースに関するＣＳＩを周期的にレポートすることとを含む。
【０００６】
本開示のいくつかの態様は、ワイヤレス通信のための方法を提供する。本方法は、全般的に、第２のセルにおける伝送を制限することによって第１のセルにおける伝送が保護される第１の組のリソースに関して周期的にレポートされたチャネル状態情報（ＣＳＩ）を受信することと、第２の組のリソースに関して周期的にレポートされたＣＳＩを受信することとを含む。
【０００７】
本開示のいくつかの態様は、ワイヤレス通信のための装置を提供する。本装置は、全般的に、第２のセルにおける伝送を制限することによって第１のセルにおける伝送が保護される第１の組のリソースに関するチャネル状態情報（ＣＳＩ）を周期的にレポートするための手段と、第２の組のリソースに関するＣＳＩを周期的にレポートするための手段とを含む。
【０００８】
本開示のいくつかの態様は、ワイヤレス通信のための装置を提供する。本装置は、全般的に、第２のセルにおける伝送を制限することによって第１のセルにおける伝送が保護される第１の組のリソースに関して周期的にレポートされたチャネル状態情報（ＣＳＩ）を受信するための手段と、第２の組のリソースに関して周期的にレポートされたＣＳＩを受信するための手段とを含む。
【０００９】
本開示のいくつかの態様は、ワイヤレス通信のための装置を提供する。本装置は、全般的に、第２のセルにおける伝送を制限することによって第１のセルにおける伝送が保護される第１の組のリソースに関するチャネル状態情報（ＣＳＩ）を周期的にレポートし、第２の組のリソースに関するＣＳＩを周期的にレポートするように構成された少なくとも１つのプロセッサと、少なくとも１つのプロセッサに連結されたメモリとを含む。
【００１０】
本開示のいくつかの態様は、ワイヤレス通信のための装置を提供する。本装置は、全般的に、第２のセルにおける伝送を制限することによって第１のセルにおける伝送が保護される第１の組のリソースに関して周期的にレポートされたチャネル状態情報（ＣＳＩ）を受信し、第２の組のリソースに関して周期的にレポートされたＣＳＩを受信するように構成された少なくとも１つのプロセッサと、少なくとも１つのプロセッサに連結されたメモリとを含む。
【００１１】
命令を記憶したコンピュータ可読媒体を備えるコンピュータプログラム製品であって、命令が、第２のセルにおける伝送を制限することによって第１のセルにおける伝送が保護される第１の組のリソースに関するチャネル状態情報（ＣＳＩ）をレポートし、第２の組のリソースに関するＣＳＩを周期的にレポートするために１つまたは複数のプロセッサによって実行可能なコンピュータプログラム製品。
【００１２】
命令を記憶したコンピュータ可読媒体を備えるコンピュータプログラム製品であって、命令が、第２のセルにおける伝送を制限することによって第１のセルにおける伝送が保護される第１の組のリソースに関して周期的にレポートされたチャネル状態情報（ＣＳＩ）を受信し、第２の組のリソースに関して周期的にレポートされたＣＳＩを受信するために１つまたは複数のプロセッサによって実行可能なコンピュータプログラム製品。
【図面の簡単な説明】
【００１３】
【図１】ワイヤレス通信ネットワークを示す図。
【図２】基地局およびＵＥのブロック図。
【図３】周波数分割複信（ＦＤＤ）のためのフレーム構造を示す図。
【図４】ダウンリンクのための２つのサブフレームフォーマット例を示す図。
【図５】アップリンクのためのサブフレームフォーマットの一例を示す図。
【図６】リソースの区画の一例を示す図。
【図７】本開示のいくつかの態様による基地局およびＵＥの機能的構成要素の例を示す図。
【図８】本開示のいくつかの態様によるＵＥによって実行することのできる動作例を示す図。
【図９】本開示のいくつかの態様によるＢＳによって実行することのできる動作例を示す図。
【図１０】本開示のいくつかの態様によるチャネル状態情報を周期的に送信するためのスキーム例を示す図。
【図１１】本開示のいくつかの態様によるチャネル状態情報を周期的に送信するためのスキーム例を示す図。
【図１２】本開示のいくつかの態様によるチャネル状態情報を周期的に送信するためのスキーム例を示す図。
【発明を実施するための形態】
【００１４】
本明細書に記載の技術は、ＣＤＭＡ、ＴＤＭＡ、ＦＤＭＡ、ＯＦＤＭＡ、ＳＣ−ＦＤＭＡなどといった様々なワイヤレス通信ネットワークおよび他のネットワークのために使用することができる。「ネットワーク」および「システム」という用語はしばしば互換的に使用される。ＣＤＭＡネットワークは、ユニバーサル地上無線アクセス（ＵＴＲＡ）、ｃｄｍａ２０００などといった無線技術を実施することができる。ＵＴＲＡは、広帯域符号分割多元接続（ＷＣＤＭＡ）と、時分割同期符号分割多元接続（ＴＤ−ＳＣＤＭＡ）と、ＣＤＭＡの他の亜種とを含む。ｃｄｍａ２０００は、ＩＳ−２０００規格、ＩＳ−９５規格、およびＩＳ−８５６規格に対応する。ＴＤＭＡネットワークは、汎ヨーロッパデジタル移動通信システム（ＧＳＭ（登録商標））といった無線技術を実施することができる。ＯＦＤＭＡネットワークは、発展型ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などといった無線技術を実施することができる。ＵＴＲＡとＥ−ＵＴＲＡは、ユニバーサル移動体通信システム（ＵＭＴＳ）の一部である。周波数分割複信（ＦＤＤ）と時分割複信（ＴＤＤ）の両方において３ＧＰＰロングタームエボリューション（ＬＴＥ）とＬＴＥアドバンスト（ＬＴＥ−Ａ）はＵＭＴＳの新版であり、これらはダウンリンクではＯＦＤＭＡを採用しアップリンクではＳＣ−ＦＤＭＡを採用するＥ−ＵＴＲＡを使用する。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体から出された文書に記載されている。ｃｄｍａ２０００およびＵＭＢは、「第３世代パートナーシッププロジェクト２」（３ＧＰＰ２）という名称の団体から出された文書に記載されている。本明細書に記載の技術は、上記のワイヤレスネットワークおよび無線技術、並びに他のワイヤレスネットワークおよび無線技術のために使用することができる。明瞭のために、以下ではこれらの技術のいくつかの態様はＬＴＥに関して説明され、以下の説明の大半ではＬＴＥ技術が使用される。
【００１５】
図１は、ＬＴＥネットワークまたは他のワイヤレスネットワークであってよいワイヤレス通信ネットワーク１００を示す。ワイヤレスネットワーク１００は、複数の発展型ノードＢ（ｅＮＢ）１１０と、他のネットワークエンティティとを含むことができる。ｅＮＢはＵＥと通信するエンティティであり、基地局、ノードＢ、アクセスポイントなどとも称されうる。各ｅＮＢは、特定の地理的エリアに通信カバレッジを提供することができる。３ＧＰＰでは、「セル」という用語は、その用語の使用される文脈に応じて、ｅＮＢのカバレッジエリアおよび／またはこのカバレッジエリアにサービスを提供するｅＮＢサブシステムを意味する。
【００１６】
ｅＮＢは、マクロセル、ピコセル、フェムトセル、および／または他のタイプのセルに通信カバレッジを提供することができる。マクロセルは、比較的大きな地理的エリア（例えば、半径数キロメートル）をカバーすることができ、サービスに加入しているＵＥによる無制限のアクセスを許可しうる。ピコセルは、比較的小さな地理的エリアをカバーすることができ、サービスに加入しているＵＥによる無制限のアクセスを許可しうる。フェムトセルは、比較的小さな地理的エリア（例えば、住まい）をカバーすることができ、フェムトセルに関連付けられたＵＥ（例えば、限定加入者グループ（ＣＳＧ）に含まれるＵＥ）による無制限のアクセスを許可しうる。マクロセルのためのｅＮＢをマクロｅＮＢと称することができる。ピコセルのためのｅＮＢをピコｅＮＢと称することができる。フェムトセルのためのｅＮＢをフェムトｅＮＢまたはホームｅＮＢ（ＨｅＮＢ）と称することができる。図１に示す例では、ｅＮＢ１１０ａはマクロセル１０２ａのためのマクロｅＮＢであってよく、ｅＮＢ１１０ｂはピコセル１０２ｂのためのピコｅＮＢであってよく、ｅＮＢ１１０ｃはフェムトセル１０２ｃのためのフェムトｅＮＢであってよい。ｅＮＢは、１つまたは複数の（例えば、３つの）セルをサポートすることができる。本明細書では、「ｅＮＢ」と「基地局」という用語は互換的に使用される。
【００１７】
ワイヤレスネットワーク１００は中継局も含めることができる。中継局は、上流局（例えば、ｅＮＢまたはＵＥ）からのデータの伝送を受信し、下流局（例えば、ＵＥまたはｅＮＢ）からのデータの伝送を送信することのできるエンティティである。中継局は、他のＵＥに対して伝送を中継することのできるＵＥであってもよい。図１に示す例では、中継局１１０ｄは、ｅＮＢ１１０ａとＵＥ１２０ｄとの間の通信を促進するためにマクロｅＮＢ１１０ａおよびＵＥ１２０ｄと通信することができる。中継局は、中継ｅＮＢ、中継基地局、リレーなどと称することもできる。
【００１８】
ワイヤレスネットワーク１００は、例えば、マクロｅＮＢ、ピコｅＮＢ、フェムトｅＮＢ、中継ｅＮＢなどといった異なるタイプのｅＮＢを含む異種ネットワークであってよい。これらの異なるタイプのｅＮＢは、異なる伝送電力レベル、異なるカバレッジエリア、およびワイヤレスネットワーク１００内の干渉に対する異なる影響を有しうる。例えば、マクロｅＮＢは、高い伝送電力レベル（例えば、５ワットから４０ワット）を有しうるが、一方、ピコｅＮＢ、フェムトｅＮＢ、および中継ｅＮＢはそれよりも低い伝送電力レベル（例えば、０．１ワットから２ワット）を有しうる。
【００１９】
ネットワークコントローラ１３０は、一組のｅＮＢと連結することができ、それらのｅＮＢに調整および制御を提供することができる。ネットワークコントローラ１３０は、バックホールを介して複数のｅＮＢと通信することができる。それらのｅＮＢは、例えば、ワイヤレスバックホールまたはワイヤラインバックホールを介して直接的または間接的に相互に通信することもできる。
【００２０】
ＵＥ１２０はワイヤレスネットワーク１００中に拡散されていてもよく、各ＵＥは固定であってもモバイルであってもよい。ＵＥはまた、端末、移動局、加入者装置、ステーションなどと称することもできる。ＵＥは、携帯電話、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）ステーション、スマートフォン、ネットブック、スマートブックなどであってよい。
【００２１】
図２は、基地局／ｅＮＢ１１０およびＵＥ１２０の設計を示すブロック図であり、図１の基地局／ｅＮＢおよびＵＥのうちの１つでありうる。図２に示す様々な構成要素（例えば、プロセッサ）は、本明細書に記載のＣＳＩレポート技術を実行するために利用することができる。本明細書で使用されるように、ＣＳＩという用語は、一般的に、ワイヤレスチャネルの特徴を説明する任意のタイプの情報を意味する。以下でさらに詳細に説明するように、ＣＳＩフィードバックは、チャネル品質指標（ＣＱＩ）、ランク指標（ＲＩ）、およびプリコーディングマトリクスインデックス（ＰＭＩ）の１つまたは複数を含むことができる。したがって、以下の何点かの説明ではＣＳＩのタイプの一例としてＣＱＩが言及されうるが、ＣＱＩは本明細書で検討する技術に従ってレポートされうるＣＳＩのタイプの一例に過ぎないものと理解されるべきである。
【００２２】
図示するように、基地局１１０は、ＣＳＩレポート構成情報をＵＥ１２０に送信することができる。以下でさらに詳細に説明するように、ＵＥ１２０は、ＣＳＩ構成情報に従ってクリーンなＣＳＩに関する（保護されたサブフレームに関する）レポート、およびアンクリーンなＣＳＩに関する（保護されていないサブフレームに関する）レポートを送信することができる。以下でさらに詳細に説明するように、ＣＳＩレポートは、同じレポート内で共に符号化されたクリーンなＣＳＩとアンクリーンなＣＳＩ、または別個のレポートで時分割多重化されたクリーンなＣＳＩとアンクリーンなＣＳＩを含むことができる。
【００２３】
基地局１１０はＴ個のアンテナ２３４ａから２３４ｔを装備することができ、また、ＵＥ１２０はＲ個のアンテナ２５２ａから２５２ｒを装備することができる。ここで、一般にＴ≧１かつＲ≧１である。
【００２４】
基地局１１０では、送信プロセッサ２２０は、１つまたは複数のＵＥに対するデータ送信装置２１２からデータを、コントローラ／プロセッサ２４０から制御情報を受信することができる。プロセッサ２２０は、データおよび制御情報を処理して（例えば、符号化および変調して）、データシンボルおよび制御シンボルをそれぞれ入手することができる。プロセッサ２２０は、同期信号、基準信号などのために基準シンボルを生成することもできる。送信（ＴＸ）複数入力複数出力（ＭＩＭＯ）プロセッサ２３０は、適用可能ならばデータシンボル、制御シンボル、および／または基準シンボルに対して空間処理（例えば、プリコーディング）を実行することができ、Ｔ個のモジュレータ（ＭＯＤ）２３２ａから２３２ｔにＴ個の出力シンボルのストリームを提供することができる。各モジュレータ２３２は、出力サンプルストリームを得るために各出力シンボルストリームを（例えば、ＯＦＤＭなどに対して）処理することができる。各モジュレータ２３２は、ダウンリンク信号を得るために、出力サンプルのストリームをさらに処理（例えば、アナログ変換、増幅、フィルタリング、およびアップコンバート）することができる。モジュレータ２３２ａから２３２ｔからのＴ個のダウンリンク信号は、それぞれＴ個のアンテナ２３４ａから２３４ｔを介して送信することができる。
【００２５】
ＵＥ１２０では、アンテナ２５２ａから２５２ｒはそれぞれ、基地局１１０からダウンリンク信号を、他の基地局からダウンリンク信号を、かつ／または他のＵＥからＰ２Ｐ信号を受信することができ、また、受信した信号をデモジュレータ（ＤＥＭＯＤ）２５４ａから２５４ｒに提供することができる。各デモジュレータ２５４は、入力サンプルを得るために、それぞれの受信信号を調節（例えば、フィルタリング、増幅、ダウンコンバート、およびデジタル化）することができる。各デモジュレータ２５４は、受信したシンボルを得るために入力サンプルを（例えば、ＯＦＤＭなどに対して）さらに処理することができる。ＭＩＭＯ検波器２５６は、受信したシンボルをすべてのＲ個のデモジュレータ２５４ａから２５４ｒから得、適用可能ならば受信したシンボルに対してＭＩＭＯ検波を実行し、検波したシンボルを提供することができる。受信プロセッサ２５８は、検波したシンボルを処理（例えば、復調および復号）し、ＵＥ１２０に関する復号したデータをデータ受信装置２６０に提供し、復号した制御情報をコントローラ／プロセッサ２８０に提供することができる。
【００２６】
アップリンクでは、ＵＥ１２０で、送信プロセッサ２６４は、データ送信装置２６２からデータを、コントローラ／プロセッサ２８０から制御情報を受信することができる。プロセッサ２６４は、データおよび制御情報を処理して（例えば、符号化および変調して）、データシンボルおよび制御シンボルをそれぞれ入手することができる。プロセッサ２６４はまた、１つまたは複数の基準信号などのために基準シンボルを生成することもできる。送信プロセッサ２６４からのシンボルは、適用可能ならばＴＸ  ＭＩＭＯプロセッサ２６６によってプリコードし、モジュレータ２５４ａから２５４ｒによって（例えば、ＳＣ−ＦＤＭ、ＯＦＤＭなどに対して）さらに処理し、基地局１１０、他の基地局、および／または他のＵＥに送信することができる。基地局１１０では、ＵＥ１２０および他のＵＥからのアップリンク信号をアンテナ２３４によって受信し、デモジュレータ２３２によって処理し、適用可能ならばＭＩＭＯ検波器２３６によって検波し、ＵＥ１２０および他のＵＥによって送信された復号したデータおよび制御情報を得るために受信プロセッサ２３８によってさらに処理することができる。プロセッサ２３８は、復号したデータをデータ受信装置２３９に提供し、復号した制御情報をコントローラ／プロセッサ２４０に提供することができる。
【００２７】
コントローラ／プロセッサ２４０および２８０はそれぞれ、基地局１１０およびＵＥ１２０で動作を指示することができる。基地局１１０でプロセッサ２４０および／または他のプロセッサおよびモジュールは、本明細書に記載の技術に関して直接的な処理を実行することができる。ＵＥ１２０でプロセッサ２８０および／または他のプロセッサおよびモジュールは、本明細書に記載の技術に関して直接的な処理を実行することができる。メモリ２４２および２８２はそれぞれ、基地局１１０およびＵＥ１２０でデータおよびプログラムコードを記憶することができる。通信（Ｃｏｍｍ）ユニット２４４は、基地局１１０が他のネットワークエンティティ（例えば、ネットワークコントローラ１３０）と通信することを可能にすることができる。スケジューラ２４６は、ダウンリンクおよび／またはアップリンクでのデータ伝送に関してＵＥをスケジューリングすることができる。
【００２８】
いくつかの態様によれば、受信プロセッサ２３８および／またはコントローラ／プロセッサ２４０は、ＵＥ１２０によって送信されたＣＳＩレポートを処理し、この情報を使用して伝送を制御することができる。
【００２９】
図２は、図１のネットワークコントローラ１３０の設計も示す。ネットワークコントローラ１３０内で、コントローラ／プロセッサ２９０はＵＥの通信をサポートするために様々な機能を実行することができる。コントローラ／プロセッサ２９０は、本明細書に記載の技術に関して処理を実行することができる。メモリ２９２は、ネットワークコントローラ１３０のためにプログラムコードおよびデータを記憶することができる。通信ユニット２９４は、ネットワークコントローラ１３０が他のネットワークエンティティと通信することを可能にすることができる。
【００３０】
上記のように、ＢＳ１１０とＵＥ１２０はＦＤＤまたはＴＤＤを利用することができる。ＦＤＤの場合、ダウンリンクとアップリンクを別個の周波数チャネルに割り当てることができ、ダウンリンク伝送とアップリンク伝送を２つの周波数チャネルで同時に送ることができる。
【００３１】
図３は、ＬＴＥのＦＤＤのためのフレーム構造３００の一例を示す。ダウンリンクとアップリンクそれぞれの伝送タイムラインは、無線フレーム単位で区画することができる。各無線フレームは、所定の期間（例えば、１０ミリ秒（ｍｓ））を有することができ、０から９の指数を持つ１０個のサブフレームに区画することができる。各サブフレームは２個のスロットを含むことができる。したがって、各無線フレームは０から１９の指数を持つ２０個のスロットを含むことができる。各スロットは、Ｌ個のシンボル周期、例えば（図２に示すように）通常の巡回プレフィックスでは７個のシンボル周期、または延長した巡回プレフィックスでは６個のシンボル周期を含むことができる。各サブフレーム内の２Ｌ個のシンボル周期には０から２Ｌ−１の指数を割り振ることができる。
【００３２】
ＬＴＥでは、ｅＮＢは、ｅＮＢによってサポートされるセルごとにシステム帯域幅の中心１．０８  ＭＨｚにおいてダウンリンクで優先同期信号（ＰＳＳ）とセカンダリ同期信号（ＳＳＳ）を送信することができる。図２に示すように、ＰＳＳとＳＳＳは、それぞれシンボル周期６と５で、通常の巡回プレフィックスによる各無線フレームのサブフレーム０と５で送信することができる。ＰＳＳとＳＳＳは、ＵＥがセルの検索と獲得のために使用することができる。ｅＮＢは、ｅＮＢによってサポートされるセルごとにシステム帯域幅全体でセル特有の基準信号（ＣＲＳ）を送信することができる。ＣＲＳは、各サブフレームのいくつかのシンボル周期で送信することができ、ＵＥがチャネル推定、チャネル品質測定、および／または他の機能を実行するために使用することができる。ｅＮＢはまた、いくつかの無線フレームのスロット１において０から３のシンボル周期で物理ブロードキャストチャネル（ＰＢＣＨ）を送信することができる。ＰＢＣＨは何らかのシステム情報を搬送することができる。ｅＮＢは、いくつかのサブフレームにおいて物理ダウンリンク共有チャネル（ＰＤＳＣＨ）上でシステム情報ブロック（ＳＩＢ）などの他のシステム情報を送信することができる。
【００３３】
図４は、通常の巡回プレフィックスによるダウンリンクのための２つのサブフレームフォーマット例４１０および４２０を示す。ダウンリンクのための使用可能な時間周波数リソースは、複数のリソースブロックに区画することができる。各リソースブロックは、１個のスロットで１２個の副搬送波をカバーすることができ、複数のリソースエレメントを含むことができる。各リソースエレメントは、１個のシンボル周期で１個の副搬送波をカバーすることができ、実数値または複素数値でありうる１個の変調シンボルを送るために使用することができる。
【００３４】
サブフレームフォーマット４１０は、２つのアンテナを装備したｅＮＢのために使用することができる。ＣＲＳは、シンボル周期０、４、７および１１でアンテナ０および１から送信することができる。基準信号は、トランスミッタとレシーバによって先験的に知られる信号であり、パイロットと称することもできる。ＣＲＳは、例えばセル識別子（ＩＤ）に基づいて生成されるなど、セル特有の基準信号である。図４では、ラベルＲaの所与のリソースエレメントの場合、アンテナａからそのリソースエレメントに関する変調シンボルを送信することができ、他のアンテナからそのリソースエレメントに関する変調シンボルを送信することはできない。サブフレームフォーマット４２０は、４つのアンテナを装備したｅＮＢのために使用することができる。ＣＲＳは、シンボル周期０、４、７および１１でアンテナ０および１から送信することができ、シンボル周期１および８でアンテナ２および３から送信することができる。サブフレームフォーマット４１０と４２０の両方に関して、セルＩＤに基づいて決定されうるように、ＣＲＳは均等に間隔をとった副搬送波で送信することができる。様々なｅＮＢが、それぞれのセルＩＤに応じてそれぞれのＣＲＳを同じ副搬送波または異なる副搬送波で送信することができる。サブフレームフォーマット４１０と４２０の両方に関して、ＣＲＳに使用されないリソースエレメントをデータ（例えば、トラヒックデータ、制御データ、および／または他のデータ）を送信するために使用することができる。
【００３５】
図５は、ＬＴＥのアップリンクのためのフォーマットの一例を示す。アップリンクのための使用可能なリソースブロックは、データセクションと制御セクションに区画することができる。制御セクションは、システム帯域幅の２つのエッジで形成することができ、構成可能なサイズを有しうる。制御セクションのリソースブロックは、制御情報／データの送信用にＵＥに割り振ることができる。データセクションは、制御セクションに含まれないすべてのリソースブロックを含むことができる。図５の設計によればデータセクションは隣接する副搬送波を含むことになり、これは単一のＵＥをデータセクション内の隣接する副搬送波のすべてに割り振ることを可能としうる。
【００３６】
制御情報をｅＮＢに送信するために、ＵＥを制御セクション内のリソースブロックに割り振ることができる。トラヒックデータをノードＢに送信するために、ＵＥをデータセクション内のリソースブロックに割り振ることもできる。ＵＥは、制御セクション内の割り振られたリソースブロックで物理アップリンク制御チャネル（ＰＵＣＣＨ）により制御情報を送信することができる。ＵＥは、データセクション内の割り振られたリソースブロックで物理アップリンク共有チャネル（ＰＵＳＣＨ）によりトラヒックデータのみかまたはトラヒックデータと制御情報の両方を送信することができる。アップリンク伝送は、図５に示すように、サブフレームの両方のスロットに及ぶことができ、周波数全体でホッピングすることができる。
【００３７】
ＬＴＥのＰＳＳ、ＳＳＳ、ＣＲＳ、ＰＢＣＨ、ＰＵＣＣＨ、およびＰＵＳＣＨは、公開されている「発展型ユニバーサル地上無線アクセス（Ｅ−ＵＴＲＡ）；物理チャネルおよび変調（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ）」と題する３ＧＰＰ  ＴＳ  ３６．２１１に記載されている。
【００３８】
ＬＴＥのＦＤＤには、ダウンリンクとアップリンクのそれぞれに様々なインタレース構造を使用することができる。例えば、Ｑを４、６、８、１０、または何らかの他の値に等しいとしうる場合に、０からＱ−１の指数を持つＱ個のインタレースを定義することができる。各インタレースは、Ｑフレームの間隔をとったサブフレームを含むことができる。具体的には、インタレースｑは、ｑ∈｛０，・・・，Ｑ−１｝とした場合に、サブフレームｑ、ｑ＋Ｑ、ｑ＋２Ｑなどを含むことができる。
【００３９】
ワイヤレスネットワークは、ダウンリンクおよびアップリンクでのデータ伝送のためにハイブリッド自動再送要求（ＨＡＲＱ）をサポートすることができる。ＨＡＲＱの場合、トランスミッタ（例えば、ｅＮＢ）は、１つのパケットがレシーバ（例えばＵＥ）によって正確に復号されるまで、または他の終了条件に遭遇するまで、その１つのパケットの１つまたは複数の伝送を送ることができる。同期ＨＡＲＱの場合、パケットのすべての伝送は、単一インタレースの複数のサブフレームで送信することができる。非同期ＨＡＲＱの場合、パケットの各伝送は、任意のサブフレームで送信することができる。
【００４０】
ＵＥは、複数ｅＮＢのカバレッジ範囲内に配置することができる。それらｅＮＢのうちの１つを、ＵＥにサービスを提供するために選択することができる。サービス提供ｅＮＢは、受信信号強度、受信信号品質、パスロスなどといった様々な判断基準に基づいて選択することができる。受信信号品質は、信号対干渉および雑音電力比（ＳＩＮＲ：signal-to-noise-and-interference ratio）または基準信号受信品質（ＲＳＲＱ）または何らかの他の測定基準によって数量化することができる。
【００４１】
ＵＥは、ＵＥが１つまたは複数の干渉するｅＮＢから高い干渉を観測しうる、ドミナント干渉シナリオ（dominant interference scenario）で動作することができる。ドミナント干渉シナリオは、限られた関連性によって発生しうる。例えば、図１では、ＵＥ１２０ｃはフェムトｅＮＢ１１０ｃに接近することができ、ｅＮＢ１１０ｃに対する高い受信電力を有しうる。しかしながら、ＵＥ１２０ｃは限られた関連性によりフェムトｅＮＢ１１０ｃへのアクセスは可能とされえず、その場合、より低い受信電力でマクロｅＮＢ１１０ａに接続することができる。この場合、ＵＥ１２０ｃは、ダウンリンクでフェムトｅＮＢ１１０ｃからの高い干渉を観測することができ、アップリンクでフェムトｅＮＢ１１０ｃへの高い干渉の原因ともなりうる。
【００４２】
ドミナント干渉シナリオは、範囲の外延であることによっても発生しうる。これは、ＵＥによって検出されるすべてのｅＮＢのうちで、より低いパスロスを有し、恐らくはより低いＳＩＮＲを有する１つのｅＮＢにＵＥが接続するシナリオである。例えば、図１では、ＵＥ１２０ｂはマクロｅＮＢ１１０ａよりもピコｅＮＢ１１０ｂの方に接近して位置することができ、ピコｅＮＢ１１０ｂに対して、より低いパスロスを有しうる。しかしながら、ＵＥ１２０ｂは、マクロｅＮＢ１１０ａと比較してピコｅＮＢ１１０ｂの送信電力レベルがより低いために、マクロｅＮＢ１１０ａよりもピコｅＮＢ１１０ｂの受信電力がより低くなりうる。それでもなお、パスロスがより低いために、ＵＥ１２０ｂはピコｅＮＢ１１０ｂに接続することが望ましくなりうる。これは、ＵＥ１２０ｂに対する所与のデータ転送率でワイヤレスネットワークへの干渉を少なくしうる。
【００４３】
ドミナント干渉シナリオでの通信は、セル間干渉調整（ＩＣＩＣ）を実行することによってサポートすることができる。ＩＣＩＣのいくつかの態様によれば、干渉の強いｅＮＢの近くに位置したｅＮＢにリソースを割り当てるためにリソース調整／区画を実行することできる。干渉するｅＮＢは、恐らくはＣＲＳを除いて、割り当てられ／保護されたリソース上での送信を回避しうる。この場合、ＵＥは、干渉するｅＮＢの存在下において保護されたリソース上でｅＮＢと通信することができ、なおかつ、干渉するｅＮＢからの干渉をまったく（恐らくはＣＲＳを除いて）観測しえない。
【００４４】
一般的に、リソース区画によって時間および／または周波数リソースをｅＮＢに割り当てることができる。いくつかの態様によれば、システム帯域幅を複数のサブバンドに区画することができ、１つまたは複数のサブバンドを１つのｅＮＢに割り当てることができる。別の設計では、一組のサブフレームを１つのｅＮＢに割り当てることができる。さらに別の設計では、一組のリソースブロックを１つのｅＮＢに割り当てることができる。明瞭のために、以下の説明の大半は、１つまたは複数のインタレースが１つのｅＮＢに割り当てられうる時分割多重化（ＴＤＭ）リソース区画の設計を想定する。割り当てられた１つまたは複数のインタレースのサブフレームは、干渉の強いｅＮＢからの干渉が低減されたか、または干渉の強いｅＮＢからの干渉がまったくないことを観測しうる。
【００４５】
図６は、ｅＮＢ  ＹおよびＺを伴うドミナント干渉シナリオにおいて通信をサポートするためのＴＤＭリソース区画の一例を示す。本例では、準静的または静的な方法で、例えば、バックホールを通したｅＮＢ間のネゴシエーションにより、ｅＮＢ  Ｙにはインタレース０を割り当てることができ、ｅＮＢ  Ｚにはインタレース７を割り当てることができる。ｅＮＢ  Ｙは、インタレース０のサブフレームで送信することができ、インタレース７のサブフレームでの送信を回避することができる。反対に、ｅＮＢ  Ｚは、インタレース７のサブフレームで送信することができ、インタレース０のサブフレームでの送信を回避することができる。残りのインタレース１から６のサブフレームは、ｅＮＢ  Ｙおよび／またはｅＮＢ  Ｚに適応して／動的に割り当てられうる。
【００４６】
表１は、１つの設計に従って、異なるタイプのサブフレームを列挙する。ｅＮＢ  Ｙの視点からすると、ｅＮＢ  Ｙに割り当てられたインタレースは、ｅＮＢ  Ｙによって使用することができ、干渉するｅＮＢからの干渉が殆どないかまったくない「保護された」サブフレーム（Ｕサブフレーム）を含むことができる。別のｅＮＢ  Ｚに割り当てられたインタレースは、ｅＮＢ  Ｙによってデータ伝送に使用することができない「禁止された」サブフレーム（Ｎサブフレーム）を含むことができる。どのｅＮＢにも割り当てられないインタレースは、異なるｅＮＢによって使用することができる「共通」サブフレーム（Ｃサブフレーム）を含むことができる。適応して割り当てられたサブフレームは接頭辞「Ａ」で示されており、保護されたサブフレーム（ＡＵサブフレーム）または禁止されたサブフレーム（ＡＮサブフレーム）または共通サブフレーム（ＡＣサブフレーム）であってよい。これら様々なタイプのサブフレームを他の名称で称することもできる。例えば、保護されたサブフレームを、確保されたサブフレームまたは割り当てられたサブフレームと称することができる。
【表１】
0005642872.tif 000002
【００４７】
いくつかの態様によれば、ｅＮＢは、その中のＵＥにリソース区画情報（ＲＰＩ）を送信することができる。場合によっては、めったに変化しないＲＰＩは静的ＲＰＩ（ＳＲＰＩ）と称されうる。いくつかの態様によれば、ＳＲＰＩは、Ｑ個のインタレースに対してＱ個のフィールドを含めることができる。各インタレースのフィールドには、「Ｕ」を設定して、そのｅＮＢにインタレースが割り当てられておりＵサブフレームを含むことを示すことができ、「Ｎ」を設定して、別のｅＮＢにインタレースが割り当てられておりＮサブフレームを含むことを示すことができ、または「Ｘ」を設定して、任意のｅＮＢに適応してインタレースが割り当てられておりＸサブフレームを含むことを示すことができる。ＵＥは、ｅＮＢからＳＲＰＩを受信することができ、ＳＲＰＩに基づいてｅＮＢに対するＵサブフレームとＮサブフレームを識別することができる。ＳＲＰＩ内の「Ｘ」が記された各インタレースに関して、ＵＥは、そのインタレース内のＸサブフレームがＡＵサブフレームになるのかＡＮサブフレームになるのかＡＣサブフレームになるのか知らなくてよい。ＵＥは、ＳＲＰＩによってリソース区画の準静的な部分のみを知ることができ、一方、ｅＮＢはリソース区画の準静的な部分と適応した部分の両方を知ることができる。
【００４８】
保護されたリソースおよび保護されていないリソースに関するＣＳＩレポーティング
ＵＥは、ｅＮＢから受信したＣＲＳに基づいてｅＮＢの受信した信号品質を推定することができる。ＵＥは、チャネル品質情報（ＣＱＩ）と、場合によっては他のタイプのＣＳＩとを、受信した信号品質に基づいて特定することができ、そのＣＱＩをｅＮＢにレポートすることができる。ｅＮＢは、例えば、リンク調節のためにＣＱＩを使用し、ＵＥへのデータ伝送のために変調符号化方式（ＭＣＳ）を選択することができる。異なるタイプのサブフレームは異なる分量の干渉を有しうるので、非常に異なるＣＱＩを有しうる。具体的には、ドミナント干渉ｅＮＢは保護されたサブフレーム（例えば、ＵおよびＡＵサブフレーム）では送信しないので、保護されたサブフレームはさらに良好なＣＱＩによって特徴付けられうる。対照的に、ＣＱＩは、１つまたは複数のドミナント干渉ｅＮＢが送信することができる他のサブフレーム（例えば、Ｎサブフレーム、ＡＮサブフレーム、およびＡＣサブフレーム）についてはかなり悪化しうる。ＣＱＩの視点からすると、ＡＵサブフレームはＵサブフレームと等価であってよく（両方とも保護されている）、ＡＮサブフレームはＮサブフレームと等価であってよい（両方とも禁止されている）。ＡＣサブフレームは、完全に異なるＣＱＩによって特徴付けられうる。良好なリンク調節の実行を達成するには、ｅＮＢがＵＥにトラヒックデータを送信する各サブフレームに関してｅＮＢは比較的正確なＣＱＩを有するべきである。
【００４９】
いくつかの態様によれば、ＵＥは、干渉するｅＮＢからの干渉が低減されるかまたは干渉するｅＮＢからの干渉がまったくない、保護されたサブフレームに関してＣＱＩを特定することができる。保護されたサブフレームに関するＣＱＩは、ドミナント干渉ｅＮＢがデータを送信しない１つのサブフレームにわたって測定されていることを強調して「クリーンな」ＣＱＩと称することができる。ＵＥは、少なくとも１つの保護されていないサブフレームに対して少なくとも１つの追加ＣＱＩを特定することもできる。保護されていないサブフレームは、Ｎサブフレーム、ＡＮサブフレーム、またはＡＣサブフレームであってよい。少なくとも１つの保護されていないサブフレームに対するＣＱＩは、１つまたは複数の干渉するｅＮＢが送信中でありうる少なくとも１つのサブフレームにわたって測定されていることを強調して「アンクリーンな」ＣＱＩと称することができる。クリーンなＣＱＩとアンクリーンなＣＱＩの組み合わせをベクトルＣＱＩと称することができる。
【００５０】
本開示のいくつかの態様は、クリーンなＣＱＩとアンクリーンなＣＱＩの周期的なレポートを可能とすることができ、この周期的なレポートは、より正確なＣＱＩ情報をｅＮＢに提供することができ、より効率的な伝送に繋がりうる。
【００５１】
図７は、本明細書に提示された技術に従って周期的なＣＱＩレポートを実行することができる基地局７１０（例えば、ｅＮＢ）およびＵＥ７２０を有する例示的システム７００を示す。図示するように、基地局７１０は、トランスミッタモジュール７１２を介してＵＥ７２０に送信されるべきＣＱＩレポート構成情報を生成するように構成されたスケジューラモジュール７１４を含むことができる。スケジューラモジュール７１４は、ＵＥ７２０に送信されるべきリソース区画情報（ＲＰＩ）を生成するように構成することもできる。
【００５２】
図示するように、ＵＥ７２０は、ＣＱＩレポート構成情報を受信するレシーバモジュール７２６を含むことができる。レシーバモジュール７２６は、ＣＱＩレポート構成情報に従って、クリーンなＣＱＩとアンクリーンなＣＱＩに関するＣＱＩレポートを生成し送信するように構成されたＣＱＩレポートモジュール５２４にＣＱＩレポート構成情報を提供することができる。ＣＱＩレポートモジュール５２４は、基地局７１０から受信したリソース区画情報（ＲＰＩ）を利用することもできる。
【００５３】
クリーンな／アンクリーンなＣＱＩレポートは、基地局７１０への伝送のために伝送モジュール７２２に提供されうる。基地局７１０は、レシーバモジュール７２６を介してレポートを受信し、ＵＥ７２０に対する後続の伝送のためにその中にある情報を利用することができる（例えば、１つまたは複数の変調符号化方式の選択）。以下で詳細に説明するように、レポートは、ランク指標（ＲＩ）、および保護されたリソースと保護されていないリソースに対するプリコーディングマトリクスインジケータ（ＰＭＩ）などの情報も含むことができる。
【００５４】
図８は、本開示のいくつかの態様によるチャネルフィードバック情報をレポートするための動作例８００を示す。動作８００は、例えば、ＵＥによって（以下に説明するように）または何らかの他のエンティティによって実行することができる。
【００５５】
この動作は、第２のセルにおける伝送を制限することによって第１のセルにおける伝送が保護される一組の保護されたリソースを示すリソース区画情報（ＲＰＩ）を８０２で受信することによって開始される。上記のように、保護されたリソースは保護されたサブフレーム（例えば、Ｕサブフレーム）を含むことができる。しかしながら、保護されたリソースは、区画された周波数リソース（例えば、保護された数組のサブバンド）またはリソースブロック（ＲＢ）も含むことができる。
【００５６】
８０４で、ＵＥは、どのようなタイプのチャネルフィードバック情報をレポートするかということと何時それをレポートするかということを伝えうるＣＳＩレポート構成情報を受信する。８０６で、ＵＥは、レポート構成に応じて、保護されたリソースに関しては「クリーンな」ＣＳＩを、他のリソースに関しては「アンクリーンな」ＣＳＩをレポートする。上記のように、レポートされるＣＳＩはＣＱＩ、ＲＩ、および／またはＰＭＩを含むことができる。
【００５７】
以下でより詳細に説明するように、特定の実装態様によっては、ＵＥは、クリーンなリソースとアンクリーンなリソースの両方に関するＣＱＩを一緒にエンコードして合わせて同じレポートとしても、または別個のレポートのクリーンなリソースとアンクリーンなリソースに関するＣＱＩを（例えば、ＴＤＭを使用して）多重化しても、またはそのような共同エンコーディングおよび多重化の組み合わせを利用してもよい。
【００５８】
いくつかの態様によれば、同じタイプの（例えば、クリーンな／アンクリーンな）様々なタイプのＣＳＩ（例えば、ＣＱＩ、ＰＭＩ、および／またはＲＩ）は、一緒にエンコードしてＴＤＭによって別個のレポートを送信することができる。別個のレポートは、同じ周期で（例えば、異なるオフセットを伴い）送信しても、または異なる周期で送信してもよい。
【００５９】
図９は、本開示のいくつかの態様による、レポートされたチャネルフィードバック情報を受信するための動作例９００を示す。動作９００は、図８に示す動作８００を補完するものであり、例えば基地局（例えば、ｅＮＢ）によって実行することができる。
【００６０】
この動作は、第２のセルにおける伝送を制限することによって第１のセルにおける伝送が保護される一組の保護されたリソースを示すリソース区画情報（ＲＰＩ）を９０２で送信することによって開始される。９０４で、基地局はＣＳＩレポート構成情報を送信し、９０６で、ＢＳは、レポート構成に応じて、保護されたリソースに関しては「クリーンな」ＣＳＩのレポートを、他のリソースに関しては「アンクリーンな」ＣＳＩのレポートを受信する。
【００６１】
上記のように、ＣＳＩはＣＱＩ、ＲＩ、およびＰＭＩを含むことができる。例えば、ＭＩＭＯに対応している場合、ＵＥは、基地局に割り当てられたリソースに関して第１のＲＩを周期的にレポートすることもできる。ＵＥは、他のリソースに関して第２のＲＩを周期的にレポートすることもできる。あるいは、第２のＲＩは固定値（例えば、１）に設定するか、または第１のＲＩに設定することができ、レポートしなくてよい。ＵＥはＰＭＩを周期的にレポートすることもできる。ＵＥは、第１のＲＩ、第２のＲＩ、および／またはＰＭＩにさらに基づいて基地局によって送信されたデータ伝送を受信することができる。
【００６２】
図１０に示すあるレポート構成によれば、ＵＥは、一緒にエンコードされたクリーンなＣＱＩとアンクリーンなＣＱＩとを備えるレポート１００２を周期的に生成することができる。ＭＩＭＯに対応している場合、レポートは、クリーンなＲＩとアンクリーンなＲＩ、および／またはＰＭＩも備えることができる。上記のように、ＵＥは、指定されたサブフレームでレポートを周期的に（図１０の例に示す周期例Ｓで）送信することができる。
【００６３】
図１１に示すあるレポート構成によれば、ＵＥは、１つまたは複数のクリーンなＣＱＩと、クリーンなＲＩと、場合によってはＰＭＩとを備える第１のレポート１１０２を周期的に生成することができ、第１のレポート１１０２を第１の指定されたサブフレームで送信することができる。ＵＥは、１つまたは複数のアンクリーンなＣＱＩと、場合によってはアンクリーンなＲＩとを備える第２のレポート１１０４を周期的に生成することもでき、第２のレポート１１０４を第２の指定されたサブフレームで送信することができる。レポート１１０２および１１０４は、図１１に示すＴＤＭによって同じ周期かまたは異なる周期で送信することができる。図１１に示す例では、クリーンなＣＳＩレポート１１０２は周期Ｓ１で送信され、一方、アンクリーンなＣＳＩレポート１１０４は第２の周期Ｓ２で送信される。いくつかの態様によれば、周期は同じであってよく（Ｓ１＝Ｓ２）、アンクリーンなレポート１１０４はクリーンなレポート１１０２に対するオフセット（図１１に示すオフセット例「Ｏ」）と共に送信することができる。
【００６４】
図９に示すブロック１０１６および１０１８のさらに別の設計では、ＵＥは、第１および第２のＣＱＩと、場合によってはＰＭＩとを備える第１のレポートを周期的に生成することができ、第１のレポートを第１の指定されたサブフレームで送信することができる。ＵＥは、第１のＲＩと、場合によっては第２のＲＩとを備える第２のレポートを周期的に生成することもでき、第２のレポートを第２の指定されたサブフレームで送信することができる。第１および第２のサブフレームは、図９に示すように時分割多重（ＴＤＭ）化することができる。
【００６５】
図１２に示すあるレポート構成によれば、ＵＥは、クリーンなＣＱＩとアンクリーンなＣＱＩとを含む第１のレポート１２０２を第１の周期（Ｓ）で送信することができ、クリーンなＲＩとアンクリーンなＲＩとを含む第２のレポート１２０４を、第１の周期の整数でありうる第２の周期で送信することができる。例えば、図１２に示すように、第２のレポート１２０４は周期４Ｓで送信されうる（例えば、サブフレームｎ＋３Ｓ、サブフレームｎ＋７Ｓ、等）。したがって、本例では、ＣＱＩレポートは８ミリ秒おきかまたは１６ミリ秒おきに送信することができ、ＲＩレポートは３２ミリ秒おきかまたは６４ミリ秒おきに送信することができる。
【００６６】
いくつかの態様によれば、クリーンなＣＳＩレポートは、基地局に割り当てられた（保護された）リソースに関するいくつかの符号語に関わらず、単一のクリーンなＣＱＩを備えることができる。アンクリーンなＣＳＩレポートは、他の（保護されていない）リソースに関する符号語の数に関わらず、単一のアンクリーンなＣＱＩを備えることもできる。別の設計では、各符号語に関するクリーンな、および／またはＣＱＩをレポートすることができる。
【００６７】
いくつかの態様によれば、それぞれのクリーンなＣＱＩとそれぞれのアンクリーンなＣＱＩは、システム帯域幅全体に対して特定された単一の広帯域ＣＱＩを備えることができる。いくつかの態様によれば、特定のサブバンドに関して「サブバンドごとの」ＣＱＩをレポートすることができる。いくつかの態様によれば、それぞれのクリーンなＣＳＩレポートはサブバンドごとのＣＱＩを含むことができ、一方、アンクリーンなＣＳＩレポートは単一の広帯域ＣＱＩを含む。
【００６８】
いくつかの態様によれば、レポートは、スケジューリング要求（ＳＲ）および／または他の制御情報を備えることもできる。いくつかの態様によれば、ＵＥは、送信すべきトラヒックデータがない場合、例えばＰＵＣＣＨに関するレポートを送信することができる。ＵＥは、ＰＵＣＣＨレポートタイプのいずれか１つと、上述のＰＵＣＣＨフォーマットのいずれか１つとを使用してレポートを送信することができる。
【００６９】
いくつかの態様によれば、ＵＥは、ＰＵＳＣＨでトラヒックデータと共にレポートを送信することができる。いくつかの態様によれば、ＵＥは、１つまたは複数の第１のＣＱＩおよび／または１つまたは複数の第２のＣＱＩを備える第１のペイロードをエンコードすることができ、第１のＲＩを備える第２のペイロードをエンコードすることができ、エンコードされた第１のペイロードと、エンコードされた第２のペイロードと、トラヒックデータとをＰＵＳＣＨで多重化することができる。別の設計では、ＵＥは、１つまたは複数の第１のＣＱＩおよび／または第２のＣＱＩと第１のＲＩとを備えるペイロードをエンコードすることができ、エンコードされたペイロードをトラヒックデータと共にＰＵＳＣＨで多重化することができる。さらに別の設計では、ＵＥは、１つまたは複数の第１のＣＱＩおよび／または１つまたは複数の第２のＣＱＩを備える第１のペイロードをエンコードすることができ、第１のＲＩを備える第２のペイロードをエンコードすることができ、第２のＲＩを備える第３のペイロードをエンコードすることができ、エンコードされた第１のペイロードと、エンコードされた第２のペイロードと、エンコードされた第３のペイロードと、トラヒックデータとをＰＵＳＣＨで多重化することができる。ＵＥは、他の方法でＣＱＩとＲＩとをエンコードし、多重化することもできる。
【００７０】
いくつかの態様によれば、基地局に割り当てられた、保護されたリソース、すなわち「クリーンな」リソースは一組のサブフレームを備えることができ、すべての他のリソース（例えば、すべての残りのサブフレーム）は保護されていないもの、すなわち「アンクリーン」なものとみなすことができる。上記のように、基地局に割り当てられたリソースは、少なくとも１つのサブバンド、または一組のリソースブロック、またはいくつかの他のリソースを備えることができる。リソースは、基地局および少なくとも１つの干渉する基地局に対するリソース区画によって準静的に基地局に割り当てられうる。
【００７１】
ＣＳＩレポートは、スケジューリング要求（ＳＲ）および／または他の情報をさらに備えることができる。基地局は、ＰＵＣＣＨでＵＥからレポートを受信することができる。あるいは、基地局は、ＰＵＳＣＨでＵＥからレポートを受信することができる。
【００７２】
いくつかの態様によれば、基地局は、ＰＵＳＣＨからのエンコードされた第１のペイロードと、エンコードされた第２のペイロードと、トラヒックデータとを逆多重化することができる。次いで基地局は、エンコードされた第１のペイロードをデコードして１つまたは複数の第１のＣＱＩおよび／または１つまたは複数の第２のＣＱＩを得ることができ、エンコードされた第２のペイロードをデコードして第１のＲＩを得ることもできる。いくつかの態様によれば、基地局は、ＰＵＳＣＨで受信したエンコードされたペイロードとトラヒックデータとを逆多重化することができる。次いで基地局は、エンコードされたペイロードをデコードしてＣＳＩを得ることができる。さらに別の設計では、基地局は、ＰＵＳＣＨからのエンコードされた第１のペイロードと、エンコードされた第２のペイロードと、エンコードされた第３のペイロードと、トラヒックデータとを逆多重化することができる。基地局は、エンコードされた第１のペイロードをデコードして１つまたは複数の第１のＣＱＩおよび／または１つまたは複数の第２のＣＱＩを得ることができる。基地局はまた、エンコードされた第２のペイロードをデコードして第１のＲＩを得ることもでき、エンコードされた第３のペイロードをデコードして第２のＲＩを得ることができる。基地局はまた、ＰＵＳＣＨで送信されたチャネルフィードバック情報に関して別の方法で逆多重化およびデコーディングを実行することもできる。
【００７３】
ＵＥは、様々な方法で選択されうる少なくとも１つの保護されていないサブフレームに関するアンクリーンなＣＱＩを特定することができる。いくつかの態様によれば、アンクリーンなＣＱＩはＮサブフレームのみに基づいて特定することができる。いくつかの態様によれば、アンクリーンなＣＱＩは、Ｕサブフレームを除外しうる一組のサブフレーム全体で平均化することによって特定することができる。いくつかの態様によれば、アンクリーンなＣＱＩは、ＮサブフレームとＵサブフレームの両方を除外しうる一組のサブフレーム全体で平均化することによって特定することができる。
【００７４】
上記の場合、この一組のサブフレームは固定数のサブフレームまたは構成可能な数のサブフレームを含みうる。例えば、ＵＥはサブフレームｎでＣＱＩレポートを送信することができ、この組はｋ＝ｋmin，…．ｋmaxの場合にｎ−ｋのサブフレームを含むことができる（サブフレームｎ−ｋは、Ｕサブフレームではなく（第２の設計の場合）、もしくはＵサブフレームでもＮサブフレームでもない（第３の設計の場合））。
【００７５】
いくつかの態様によれば、アンクリーンなＣＱＩは、ＮサブフレームおよびＵサブフレームにおける干渉を別個に推定し、ＮサブフレームおよびＵサブフレームに関する推定された干渉に基づいてＵＥによって観測された干渉全体を特定し、かつ総合的な干渉に基づいてアンクリーンなＣＱＩを特定することによって特定することができる。いくつかの態様によれば、アンクリーンなＣＱＩは、オフセットに基づいて特定された保護されていないサブフレームに関して特定することができる。このオフセットは、クリーンなＣＱＩを特定するために使用される保護されたサブフレーム、またはレポートが送信されるサブフレームに対するオフセットであってよい。オフセットはｅＮＢによって構成されうるものであり、ＵＥにシグナリングされうる。あるいは、ＵＥは、一組のオフセットを循環することができ、それぞれのＣＱＩレポート期間ごとにアンクリーンなＣＱＩを特定するための異なるサブフレームを選択することができる。アンクリーンなＣＱＩは、他の方法で選択されうる１つまたは複数の保護されていないサブフレームに関して特定することもできる。
【００７６】
上記のように、サブバンドＣＱＩおよび／または広帯域ＣＱＩをレポートするようにＵＥに指示することができる。システム帯域幅を複数のサブバンドに区画することができ、各サブバンドは１つまたは複数のリソースブロックをカバーすることができる。サブバンドＣＱＩは、特定のサブバンドに対して特定することができる。広帯域ＣＱＩは、全体的なシステム帯域幅に対して特定することができる。
【００７７】
ＵＥは、ダウンリンクで複数入力複数出力（ＭＩＭＯ）伝送をサポートすることができる。ＭＩＭＯの場合、ｅＮＢは、ＵＥの複数の受信アンテナに対して、ｅＮＢの複数の送信アンテナを介して同時に１つまたは複数のパケット（または符号語）を送信することができる。ＵＥは、ｅＮＢからＵＥへのＭＩＭＯチャネルを評価することができ、良好なＭＩＭＯ伝送性能を提供することのできるプリコーディング情報を特定することができる。プリコーディング情報は、（ｉ）（例えば、ダウンリンクチャネルに関するＵＥの推定に基づいて）空間多重方式に有用ないくつかのトランスミッション層を示すランク指標（ＲＩ）、および／または（ｉｉ）送信前にデータをプリコードするためにｅＮＢによって使用されるべきプリコーディングマトリクスを示すプリコーディングマトリクスインジケータ（ＰＭＩ）を含むことができる。ＲＩはＣＱＩおよびＰＭＩよりもゆっくりと変化しうる。複数のＭＩＭＯモードがサポートされうる。プリコーディングマトリクスは、いくつかのＭＩＭＯモードでＵＥによって選択され、レポートされうる。プリコーディングマトリクスは、いくつかの他のＭＩＭＯモードでｅＮＢによって選択されうる（したがって、ＵＥによってレポートはされない）。
【００７８】
ＭＩＭＯの場合、Ｌ個のパケットがプリコーディングマトリクスによって形成されたＬ個の層を介して送信されうるが、ここで、ＬはＲＩによって示すことができ、１、２、などと等価であってよい。いくつかのＭＩＭＯモードでは、Ｌ層は類似のＳＩＮＲを観測することができ、単一ＣＱＩがすべてのＬ層にレポートされうる。例えば、ＬＴＥの大きな遅延巡回遅延ダイバーシティ（ＣＤＤ）モードはすべての層にわたってＳＩＮＲを等価するよう試みることができる。いくつかの他のＭＩＭＯモードでは、Ｌ層は異なるＳＩＮＲを観測することができ、１つのＣＱＩが各層に対してレポートされうる。この場合、シグナリングオーバヘッドを低減するために差動符号化を使用することができる。差動符号化を使用すると、第１の符号語に対するＣＱＩを絶対値で送ることができ、ベースＣＱＩと称することができる。別の符号語に対する別のＣＱＩを、ベースＣＱＩに対する相対値で送ることができ、差動ＣＱＩと称することができる。
【００７９】
ＭＩＭＯをサポートするために、ＵＥは、Ｌ個の符号語に対するＬ個のＣＱＩまでＲＩ、およびＰＭＩを特定し、レポートすることができる。ＵＥは、ＬＴＥで定義されている様々なＰＵＣＣＨレポートタイプを使用してＣＱＩ、ＲＩ、およびＰＭＩを送ることができる。リソース区画をしたＭＩＭＯをサポートするために、ＵＥは、（ｉ）保護されたサブフレームに対してＬ個の符号語に対するＬ個のクリーンなＣＱＩまで、クリーンなＲＩ、およびクリーンなＰＭＩと、（ｉｉ）少なくとも１つの保護されていないサブフレームに対してＬ個の符号語に対するＬ個のアンクリーンなＣＱＩまで、アンクリーンなＲＩ、およびアンクリーンなＰＭＩを特定し、レポートすることができる。ＲＩはチャネル品質によって異なりうるものであり、保護されたサブフレームと保護されていないサブフレームで異なりうるものである。したがって、ＲＩは、保護されたサブフレームと保護されていないサブフレームで別々に特定され、レポートされうる。ＰＭＩはチャネル利得によって異なりうるものであり、保護されたサブフレームと保護されていないサブフレームの両方で類似でありうる。この場合、ＰＭＩは１つまたは複数のクリーンなＣＱＩだけ、または１つまたは複数のアンクリーンなＣＱＩだけによってレポートされうる。ＰＭＩはまた、時変チャネルの理由から、または協調ビーム成形（ＣＢＦ）などの協調多地点（ＣｏＭＰ）送信のために、異なるサブフレームでも異なりうる。この場合、ＰＭＩはクリーンなＣＱＩとアンクリーンなＣＱＩによってレポートされうる。
【００８０】
ＵＥは、ｅＮＢによってチャネルフィードバック情報の周期的なレポートのために構成することができる。チャネルフィードバック情報は、ＣＱＩ、またはＲＩ、またはＰＭＩ、または何らかの他の情報、またはこれらの組み合わせを備えることができる。ＵＥのためのレポート構成は、どの情報をレポートすべきか、使用すべき特定のＰＵＣＣＨレポートタイプ、レポート間隔またはレポート周期等を示すことができる。ＴＤＭリソース区画がダウンリンク（図６に示すように）とアップリンクとに使用される場合、アップリンクの伝送のためにＵＥにはある一定のサブフレームしか使用可能でない。この場合、確実にＵＥがアップリンクでレポートを送信できるようにするためには、レポート周期はＱサブフレームの整数倍であってよい。例えば、レポート周期は、図６に示すリソース区画例では、８、１６、２４、または８サブフレームの何らかの他の倍数であってよい。
【００８１】
一態様では、ＵＥは、ＵＥ自体のレポート構成によって示されるように、保護されたサブフレームと保護されていないサブフレームに関するチャネルフィードバック情報を周期的に特定し、レポートすることができる。保護されたサブフレームに関するチャネルフィードバック情報は、クリーンなチャネルフィードバック情報と称することができる。少なくとも１つの保護されていないサブフレームに関するチャネルフィードバック情報は、アンクリーンなチャネルフィードバック情報と称することができる。ＵＥがレポートを送信するように構成された各サブフレームでは、ＵＥは、クリーンなチャネルフィードバック情報および／またはアンクリーンなチャネルフィードバック情報を、（ｉ）トラヒックデータがサブフレームで送信中でない場合はＰＵＣＣＨで、または（ｉｉ）トラヒックデータがサブフレームで送信中の場合は、そのトラヒックデータと共にＰＵＳＣＨで送信することができる。ＵＥは、クリーンなチャネルフィードバック情報および／またはアンクリーンなチャネルフィードバック情報を、様々な方法でＰＵＣＣＨまたはＰＵＳＣＨで送信することができる。
【００８２】
ＰＵＣＣＨでクリーンなチャネルフィードバック情報とアンクリーンなチャネルフィードバック情報とを周期的に送信する第１の設計では、ＵＥは、クリーンなＣＱＩと、アンクリーンなＣＱＩと、対応するクリーンなＲＩと、対応するアンクリーンなＲＩとを特定し、一緒にエンコードすることができ、それらの情報すべてを備えるレポートを生成することができる。レポートにＰＭＩを送信するための空間が十分にない場合、ＰＭＩは省略することができる。あるいは、ＰＭＩも一緒にエンコードしてレポートに含めることができる。いくつかの態様によれば、ＵＥは、クリーンなＲＩとアンクリーンなＲＩとによって示された層の数（および対応する符号語の数）に関わらず、１つのクリーンなＣＱＩと１つのアンクリーンなＣＱＩとを特定することができる。別の設計では、ＵＥは、クリーンなＲＩによって示された各層に関して１つのクリーンなＣＱＩを特定することができ、アンクリーンなＲＩによって示された各層に関して１つのアンクリーンなＣＱＩを特定することができる。いくつかの態様によれば、ＵＥは、システム帯域幅全体でクリーンな広帯域ＣＱＩとアンクリーンな広帯域ＣＱＩとを特定することができる。別の設計では、ＵＥは、１つまたは複数の特定のサブバンドのそれぞれに対してクリーンなサブバンドＣＱＩとアンクリーンなサブバンドＣＱＩとを特定することができる。レポートすべきＣＱＩの数は、シグナリングオーバヘッドとデータパフォーマンスとの間のトレードオフにより異なりうる。いくつかの態様によれば、ＵＥは、クリーンなＲＩとアンクリーンなＲＩとによって示された層の数に関わらず、１つのクリーンな広帯域ＣＱＩと１つのアンクリーンな広帯域ＣＱＩとを生成することができる。この設計は、レポート内の送信すべきチャネルフィードバック情報の量を低減することができ、例えば遅延の大きなＣＤＤモードに使用することができる。
【００８３】
シグナリングオーバヘッドを低減するために、アンクリーンなＣＱＩに対して差動符号化を使用することができる。例えば、クリーンなＲＩがアンクリーンなＲＩと等価の場合、差分ＣＱＩは次のように計算することができる。
【００８４】
差分ＣＱＩ＝クリーンなＣＱＩ−アンクリーンなＣＱＩ        式（１）
差分ＣＱＩは、同じ符号語に対してクリーンなＣＱＩとアンクリーンなＣＱＩとに基づいて計算することができ、アンクリーンなＣＱＩよりも少ないビットで送信することができる。例えば、アンクリーンなＣＱＩは、差動符号化なしに４ビットで送信することができ、差動符号化を行なって３ビット以下で送信することができる。
【００８５】
いくつかの態様によれば、ＵＥは、例えばｅＮＢによって上位層のシグナリングによって周期的レポートをするように構成することができる。各レポート期間の前に、ＵＥは、（ｉ）少なくとも１つの符号語に対して少なくとも１つのクリーンなＣＱＩと、保護されたサブフレームに対してクリーンなＲＩとを、また、（ｉｉ）少なくとも１つの符号語に対して少なくとも１つのアンクリーンなＣＱＩと、少なくとも１つの保護されていないサブフレームに対してアンクリーンなＲＩとを、また、（ｉｉｉ）場合によっては、保護されたサブフレームと保護されていないサブフレームの両方に適用可能でありうるＰＭＩを特定することができる。ＵＥは、チャネルフィードバック情報のすべてを一緒にエンコードすることができ、エンコードされたチャネルフィードバック情報を備えるレポートを生成することができる。ＵＥは、レポートを送信するために指定されたサブフレームで、ＰＵＣＣＨによりレポートを送信することができる。ＵＥは、各レポート期間内にこの処理を反復することができる。
【００８６】
図１０に関して上記で指摘したように、クリーンなチャネルフィードバック情報の各レポート期間内に、ＵＥは、少なくとも１つの符号語に対して少なくとも１つのクリーンなＣＱＩと、保護されたサブフレームに対してクリーンなＲＩと、場合によってはＰＭＩとを特定することができる。ＵＥは、クリーンなチャネル状態情報のすべてを一緒にエンコードして、クリーンなレポートを生成することができる。ＵＥは、このクリーンなレポートを送信するために指定されたサブフレームで、ＰＵＣＣＨによりこのクリーンなレポートを送信することができる。同様に、アンクリーンなチャネルフィードバック情報の各レポート期間内に、ＵＥは、少なくとも１つの符号語に対して少なくとも１つのアンクリーンなＣＱＩと、少なくとも１つの保護されていないサブフレームに対してアンクリーンなＲＩと、場合によってはＰＭＩとを特定することができる。ＵＥは、アンクリーンなチャネル状態情報のすべてを一緒にエンコードして、アンクリーンなレポートを生成することができる。ＵＥは、このアンクリーンなレポートを送信するために指定されたサブフレームで、ＰＵＣＣＨによりこのアンクリーンなレポートを送信することができる。
【００８７】
ＰＭＩは、保護されたサブフレームと保護されていないサブフレームで同じであってよい。この場合、ＰＭＩは、クリーンなレポートだけによって、またはアンクリーンなレポートだけによって、またはクリーンなレポートとアンクリーンなレポートの両方によって送信することができる。ＰＭＩを送信する特定のレポートは、固定（例えば、規格で指定の）であっても、ｅＮＢによって構成されてＵＥにシグナリングすることもできる。ＣｏＭＰが使用されている場合、ＰＭＩは異なるサブフレームに対して異なっていてよく、その場合は、クリーンなレポートとアンクリーンなレポートの両方によって送信することができる。
【００８８】
いくつかの態様によれば、クリーンなレポートとアンクリーンなレポートは、周期は同じであってよいがオフセット（図１１に「Ｏ」で示す）は異なりうる。この設計では、ＵＥは、１つのサブフレームで１つのクリーンなレポートを送信することができ、次いで別のサブフレームで１つのアンクリーンなレポートを送信することができ、次いでさらに別のサブフレームで１つのクリーンなレポートを送信することができる。別の設計では、クリーンなレポートとアンクリーンなレポートは異なる周期を有しうる。例えば、クリーンなレポートはＳ1サブフレームごとに送信することができ、アンクリーンなレポートはＳ2サブフレームごとに送信することができる。両方の設計とも、クリーンなレポートの周期とアンクリーンなレポートの周期とは（異なるならば）、ｅＮＢによって構成されてＵＥにシグナリングすることができる。
【００８９】
いくつかの態様によれば、ＵＥは、クリーンなＣＱＩとアンクリーンなＣＱＩと（場合によってはＰＭＩを含む）を一緒にエンコードしてＣＱＩレポートを生成することができ、クリーンなＲＩとアンクリーンなＲＩとを一緒にエンコードしてＲＩレポートを生成することもできる。ＵＥは、図１２に示すように、ＣＱＩレポートとＲＩレポートとをＴＤＭ方式で送信することができる。
【００９０】
図１２に示すように、ＣＱＩの各レポート期間に、ＵＥは、保護されたサブフレームに関しては少なくとも１つの符号語に対して少なくとも１つのクリーンなＣＱＩを特定することができ、少なくとも１つの保護されていないサブフレームに関しては少なくとも１つの符号語に対して少なくとも１つのアンクリーンなＣＱＩを特定することができ、また場合によってはＰＭＩを特定することができる。ＵＥは、クリーンなＣＱＩとアンクリーンなＣＱＩと、場合によってはＰＭＩとを一緒にエンコードして、ＣＱＩレポートを生成することができる。ＵＥは、このＣＱＩレポートを送信するために指定されたサブフレームで、ＰＵＣＣＨによりこのＣＱＩレポートを送信することができる。同様に、ＲＩの各レポート期間内に、ＵＥは、保護されたサブフレームに対してクリーンなＲＩを特定することができ、少なくとも１つの保護されていないサブフレームに対してアンクリーンなＲＩを特定することができる。ＵＥは、クリーンなＲＩとアンクリーンなＲＩとを一緒にエンコードして、ＲＩレポートを生成することができる。ＵＥは、このＲＩレポートを送信するために指定されたサブフレームで、ＰＵＣＣＨによりこのＲＩレポートを送信することができる。
【００９１】
いくつかの態様によれば、クリーンなＲＩとアンクリーンなＲＩは、保護されたサブフレームと保護されていないサブフレームに対して独立して特定されうる。別の設計では、アンクリーンなＲＩを固定値に（例えば、保護されていないサブフレーム上で空間多重化しない値に）設定することができ、したがって、このアンクリーンなＲＩはＲＩレポートから省略することができる。いくつかの態様によれば、アンクリーンなＲＩをクリーンなＲＩと等価に設定することができ、したがって、このアンクリーンなＲＩもまたＲＩレポートから省略することができる。
【００９２】
ＣＱＩレポートは、Ｌ個の符号語に対するＬ個のクリーンなＣＱＩまでと、Ｌ個の符号語に対するＬ個のアンクリーンなＣＱＩまでと、場合によってはＰＭＩとを含むことができる。例えば、クリーンなＲＩとアンクリーンなＲＩが両方共２に等しい場合、ＣＱＩレポートは、２つのクリーンなＣＱＩと、２つのアンクリーンなＣＱＩと、場合によってはＰＭＩとを含むことができる。ＣＱＩレポートに関するシグナリングオーバヘッドは様々な方法で低減することができる。いくつかの態様によれば、例えば上記の式（１）に示すように、差動符号化は、アンクリーンなＣＱＩごとに実行することができる。いくつかの態様によれば、アンクリーンなＲＩを１に設定することができ、１つのアンクリーンなＣＱＩをレポートすることができる。いくつかの態様によれば、単一の差分ＣＱＩを（例えば、第１の符号語に対するクリーンなＣＱＩとアンクリーンなＣＱＩとに基づいて）計算することができ、Ｌ個すべての符号語に使用することができる。このアプローチは、クリーンなＣＱＩとアンクリーンなＣＱＩとの間の差はランク上独立していると想定しうる。このアプローチは、例えばアンクリーンなＲＩがクリーンなＲＩに等しく、また、２つのＲＩが等価でない場合に使用することができる。例えば、クリーンなＲＩが２に等しく、アンクリーンなＲＩが１に等しい場合、差分ＣＱＩは第１の符号語には適用可能でありうるが、第２の符号語には適用可能でない場合がある。
【００９３】
いくつかの態様によれば、ＣＱＩレポートとＲＩレポートは、周期は同じであってよいがオフセットは異なりうる。この設計では、ＵＥは、１つのサブフレームで１つのＣＱＩレポートを送信することができ、次いで別のサブフレームで１つのＲＩレポートを送信することができ、次いでさらに別のサブフレームなどで１つのＣＱＩレポートを送信することができる。別の設計では、ＣＱＩレポートとＲＩレポートは異なる周期を有しうる。例えば、ＣＱＩレポートはＳ1サブフレームごとに送信することができ、ＲＩレポートはＳ2サブフレームごとに送信することができる。両方の設計とも、ＣＱＩレポートの周期とＲＩレポートの周期とは（異なるならば）、ｅＮＢによって構成されてＵＥにシグナリングすることができる。ＲＩはＣＱＩよりもゆっくりと変化しうるので、ＲＩレポートの周期はＣＱＩレポートの周期の整数倍であってよい。例えば、ＣＱＩレポートは８ミリ秒おきかまたは１６ミリ秒おきに送信することができ、ＲＩレポートは８０ミリ秒おきかまたは１６０ミリ秒おきに送信することができる。
【００９４】
一般的に、上記のすべての設計で、ＵＥは、クリーンなＣＱＩを広帯域および／または特定のサブバンドに関して特定することができ、また、アンクリーンなＣＱＩを広帯域および／または特定のサブバンドに関して特定することもできる。いくつかの態様によれば、ＵＥは、クリーンな広帯域ＣＱＩとアンクリーンな広帯域ＣＱＩとを特定することができる。別の設計では、ＵＥは、クリーンなサブバンドＣＱＩとアンクリーンなサブバンドＣＱＩとを特定することができる。クリーンなＣＱＩのサブバンドは、アンクリーンなＣＱＩのサブバンドと一致してもしなくてもよい。さらに別の設計では、ＵＥは、クリーンなサブバンドＣＱＩとアンクリーンな広帯域ＣＱＩとを特定することができる。ｅＮＢは、広帯域ＣＱＩをレポートするかサブバンドＣＱＩをレポートするかを判定することができ、上位層のシグナリングによってＵＥにシグナリングすることができる。
【００９５】
ｅＮＢは、ダウンリンクでは割り当てられた保護されたサブフレームであってよく、アップリンクでは保護されたサブフレームであってよい。ダウンリンクおよびアップリンクのための保護されたサブフレームは、ＨＡＲＱによってダウンリンクおよびアップリンクでの効率的なデータ伝送を可能にするように選択することができる。
【００９６】
いくつかの態様によれば、チャネルフィードバック情報のレポート周期はリソース区画の周期と歩調を合わせることができ、これはＱサブフレーム（例えば、図６に示す例では８サブフレーム）であってよい。いくつかの態様によれば、一組のレポート周期をサポートすることができ、その一組のレポート周期は、Ｑサブフレームの異なる整数倍、例えば、８倍、１６倍、２４倍、３２倍、４０倍、４８倍、および／または８サブフレームの他の倍数を含みうる。この場合、ＵＥのレポート周期は、サポートされている一組のレポート周期から選択することができる。この設計により、ＵＥは保護されたサブフレームによりアップリンクでレポートを送信することが可能となる。
【００９７】
いくつかの態様によれば、情報を伝達するために必要となるビット数の節約に努めるべく１つまたは複数の技術を利用することができる。例えば、ＬＴＥ  Ｒｅｌｅａｓｅ  ８は、ＵＥがレポートを送信する特定のサブフレームに対してｅＮＢがシグナリングするために使用することのできるパラメータＮOFFSET,CQIを規定している。ＮOFFSET,CQIは、０からＳ−１の範囲の値を有しうる（Ｓは（サブフレーム数による）レポート周期でありｅＮＢによって構成可能である）。この場合、ＮOFFSET,CQIは、
【数１】
0005642872.tif 000003
【００９８】
ビットで伝達されうる。（「
【数２】
0005642872.tif 000004
【００９９】
」は上限演算子を示す）。ＵＥが保護されたサブフレームでしかレポートを送信できない場合、ＮOFFSET,CQIの可能な値は、保護されたサブフレームに対応するオフセットに限定されることになる。
【０１００】
したがって、リソース区画が使用される場合、ＮOFFSET,CQIはより少ないビットで伝達されうる。いくつかの態様によれば、あるレポート間隔内のすべての保護されたサブフレームは、指数０からＰー１で識別され、指数０からＰ−１が割り当てられうる（Ｐはレポート間隔内の保護されたサブフレーム数）。この場合、ＮOFFSET,CQIは、レポートを送信すべき特定の保護されたサブフレームを示すことができ
【数３】
0005642872.tif 000005
【０１０１】
ビットで伝達されうる。別の設計では、ＬＴＥ  Ｒｅｌｅａｓｅ  ８にあるようにＮOFFSET,CQIに
【数４】
0005642872.tif 000006
【０１０２】
ビットを使用することができるが、レポート送信用のオフセットを示すためには
【数５】
0005642872.tif 000007
【０１０３】
ビットしか使用されず、残りの
【数６】
0005642872.tif 000008
【０１０４】
ビットは他の目的で使用されうる。例えば、残りのビットは、アンクリーンなＣＱＩとアンクリーンなＲＩとを特定するために使用する基準サブフレームの位置またはオフセットを指定するために使用することができる。
【０１０５】
ＬＴＥ  Ｒｅｌｅａｓｅ  ８は、ＣＱＩ、ＲＩ、およびＰＭＩの異なる組み合わせを送るために使用することのできる４つのＰＵＣＣＨタイプをサポートする。ＬＴＥ  Ｒｅｌｅａｓｅ  ８はまた、異なるＰＵＣＣＨレポートモードもサポートする。例えば、ＰＵＣＣＨレポートモード１−０および１−１は広帯域ＣＱＩを送るために使用することができる。ＰＵＣＣＨレポートモード２−０および２−１は、１つまたは複数の帯域幅部分（ＢＰ）に対してサブバンドＣＱＩを送るために使用することができる。ＬＴＥ  Ｒｅｌｅａｓｅ  ８のＰＵＣＣＨレポートタイプおよびＰＵＣＣＨレポートモードは、公開されている「発展型ユニバーサル地上無線アクセス（Ｅ−ＵＴＲＡ）；物理層プロシージャ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  ｌａｙｅｒ  ｐｒｏｃｅｄｕｒｅｓ）」と題する３ＧＰＰ  ＴＳ  ３６．２１３に記載されている。
【０１０６】
いくつかの態様によれば、（例えば、ＬＴＥ  Ｒｅｌｅａｓｅ  ８で現在規定されているレポートタイプに加えて）クリーンなチャネルフィードバック情報とアンクリーンなチャネルフィードバック情報のレポートをサポートするために追加のＰＵＣＣＨレポートタイプが定義されうる。いくつかの態様によれば、表２に列挙する１つまたは複数のＰＵＣＣＨレポートタイプがサポートされうる。クリーンなチャネルフィードバック情報とアンクリーンなチャネルフィードバック情報に関して、他のＰＵＣＣＨレポートタイプもサポートされうる。
【表２】
0005642872.tif 000009
【０１０７】
ＬＴＥ  Ｒｅｌｅａｓｅ  ８は、アップリンク制御情報（ＵＣＩ）を送るために使用することのできる６つのＰＵＣＣＨフォーマットをサポートする。これらのフォーマットは、公開されている「発展型ユニバーサル地上無線アクセス（Ｅ−ＵＴＲＡ）；物理チャネルおよび変調（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｐｈｙｓｉｃａｌ  Ｃｈａｎｎｅｌｓ  ａｎｄ  Ｍｏｄｕｌａｔｉｏｎ）」と題する３ＧＰＰ  ＴＳ  ３６．２１１に記載されている。
【０１０８】
いくつかの態様によれば、クリーンなＣＱＩとアンクリーンなＣＱＩを搬送するレポートを送るために、ＰＵＣＣＨフォーマット２、２ａ、および２ｂが使用されうる。例えば、ＰＵＣＣＨフォーマット２は、ＨＡＲＱに対するＡＣＫ／ＮＡＣＫフィードバックと多重化されない場合は、ＣＱＩ／ＰＭＩレポート、またはＲＩレポート、またはデュアルＣＱＩ／ＰＭＩレポート、またはデュアルＲＩレポートのために使用することができる。ＰＵＣＣＨフォーマット２ａは、通常の巡回プレフィックスに対する１ビットのＡＣＫ／ＮＡＣＫフィードバックと多重化される場合は、ＣＱＩ／ＰＭＩレポート、またはＲＩレポート、またはデュアルＣＱＩ／ＰＭＩレポート、またはデュアルＲＩレポートのために使用することができる。ＰＵＣＣＨフォーマット２ｂは、通常の巡回プレフィックスに対する２ビットのＡＣＫ／ＮＡＣＫフィードバックと多重化される場合は、ＣＱＩ／ＰＭＩレポート、またはＲＩレポート、またはデュアルＣＱＩ／ＰＭＩレポート、またはデュアルＲＩレポートのために使用することができる。ＰＵＣＣＨフォーマット２は、延長した巡回プレフィックスに対するＡＣＫ／ＮＡＣＫフィードバックと多重化される場合は、ＣＱＩ／ＰＭＩレポート、またはＲＩレポート、またはデュアルＣＱＩ／ＰＭＩレポート、またはデュアルＲＩレポートのために使用することができる。
【０１０９】
ＵＥは、アップリンクで送信すべきトラヒックデータがある場合には、スケジューリング要求（ＳＲ）を送信することができる。ｅＮＢは、スケジューリング要求を受信し、アップリンクでのデータ伝送に関してＵＥをスケジューリングし、ＵＥにアップリンクグラントを送信することができる。次いでＵＥは、アップリンクグラントに従ってアップリンクでトラヒックデータを送信することができる。ＵＥは、ｅＮＢによってスケジューリング要求が確実に受信されうるように、アップリンクのための保護されたサブフレームでスケジューリング要求を送信することができる。
【０１１０】
いくつかの態様によれば、ＵＥは、同じ保護されたサブフレームでレポートとスケジューリング要求の両方を送信する必要がある場合がある。これは、リソース区画によってＵＥに使用可能な保護されたサブフレームの数が限られる場合にはより頻繁に起こりうることである。いくつかの態様によれば、ＵＥは、スケジューリング要求を送信することができ、コリジョンが発生した場合にはレポートをドロップすることができる。いくつかの態様によれば、ＵＥは、レポートでスケジューリング要求をチャネルフィードバック情報と共に送信することができる。スケジューリング要求とチャネルフィードバック情報の並列伝送をサポートするために１つまたは複数のＰＵＣＣＨレポートタイプと１つまたは複数の新しいＰＵＣＣＨフォーマットが定義されうる。例えば、ＰＵＣＣＨフォーマットタイプ５ａは表のＰＵＣＣＨフォーマット５に類似しうるが、スケジューリング要求が送信中かどうかを示す追加ビットを含むことができる。同様に、ＰＵＣＣＨフォーマット３、３ａ、および３ｂはＰＵＣＣＨフォーマット２、２ａ、および２ｂにそれぞれ類似しうるが、スケジューリング要求と他の情報との多重化を可能としうる。
【０１１１】
さらに別の態様では、ＵＥは、トラヒックデータと、クリーンなチャネルフィードバック情報およびアンクリーンなチャネルフィードバック情報を備えるＵＣＩとをＰＵＳＣＨで送信することができる。ＵＥは、ＰＵＣＣＨまたはＰＵＳＣＨをいかなる所与のサブフレームでも送信することができる。ＵＥは、ＰＵＳＣＨが送信される際にＵＣＩをトラヒックデータと多重化することができる。ＵＣＩのコーディングおよびＵＣＩとトラヒックデータとの多重化は、様々な方法で実行することができる。
【０１１２】
いくつかの態様によれば、ＰＵＳＣＨでクリーンなチャネルフィードバック情報とアンクリーンなチャネルフィードバック情報とを送信する場合、ＵＥは、ＬＴＥ  Ｒｅｌｅａｓｅ  ８に記載されているようにＣＱＩ／ＰＭＩペイロードと（もしあるならば）ＡＣＫ／ＮＡＣＫペイロードとをエンコードすることができる。ＵＥは、クリーンなＲＩとアンクリーンなＲＩとを備えるＲＩペイロードを、適切なコーディングスキームに基づいてエンコードすることができる。いくつかの態様によれば、単一のパリティビットは（２を法として）ＲＩペイロードの全ビットの合計として計算することができる。別の設計では、任意の２または３の異なる線形の独立したビットの組み合わせを考慮することによって、２つのパリティビットを３ビットのＲＩペイロードに関して計算することができ、３つのパリティビットを４ビットのＲＩペイロードに関して計算することができる。少なくとも１つのパリティビットの計算でＲＩペイロード内の全ビットを考慮することができる。ＲＩペイロードのための新しいパリティビットは、他の方法で計算することもできる。いずれの場合も、ＵＥは、エンコードされたＣＱＩ／ＰＭＩペイロードと、エンコードされたＡＣＫ／ＮＡＣＫペイロードと、エンコードされたＲＩペイロードとをＰＵＳＣＨのトラヒックデータと多重化することができる。
【０１１３】
いくつかの態様によれば、ＰＵＳＣＨでクリーンなチャネルフィードバック情報とアンクリーンなチャネルフィードバック情報とを送信する場合、ＵＥは、クリーンなＣＱＩとアンクリーンなＣＱＩ、ＰＭＩ、およびクリーンなＲＩとアンクリーンなＲＩを備えるＣＱＩ／ＰＭＩ／ＲＩペイロードを形成することができる。次いでＵＥは、ＣＱＩ／ＰＭＩペイロードに使用されるコーディングスキームまたは新しいコーディングスキームを使用してＣＱＩ／ＰＭＩ／ＲＩペイロードをエンコードすることができる。次いでＵＥは、エンコードされたＣＱＩ／ＰＭＩ／ＲＩペイロードおよび（あるならば）エンコードされたＡＣＫ／ＮＡＣＫペイロードをＰＵＳＣＨのトラヒックデータと多重化することができる。
【０１１４】
いくつかの態様によれば、ＰＵＳＣＨでクリーンなチャネルフィードバック情報とアンクリーンなチャネルフィードバック情報とを送信する場合、ＵＥは、ＣＱＩ／ＰＭＩペイロードと、クリーンなＲＩペイロードと、アンクリーンなＲＩペイロードとを別個にエンコードすることができる。ＵＥは、クリーンなＲＩペイロードとアンクリーンなＲＩペイロードとを、ＬＴＥ  Ｒｅｌｅａｓｅ  ８にあるＲＩペイロードのためのコーディングスキームに基づいて別個にエンコードすることができる。次いでＵＥは、エンコードされたＣＱＩ／ＰＭＩペイロードと、エンコードされたクリーンなＲＩペイロードと、エンコードされたアンクリーンなＲＩとをＰＵＳＣＨのトラヒックデータと多重化することができる。いくつかの態様によれば、ＲＩペイロードは連結することができ、連結されたペイロードはエンコードすることができる。
【０１１５】
クリーンなＣＳＩとアンクリーンなＣＳＩは、いかなる他の適切な方法でも、エンコードし、多重化し、ＰＵＳＣＨで送信することができる。
【０１１６】
当業者には、情報および信号は、様々な異なるテクノロジーおよびテクニックのいずれかを使用して表現されうることが理解されよう。例えば、上記の説明を通して参照されうるデータ、命令、コマンド、情報、信号、ビット、シンボル、およびチップは、電圧、電流、電磁波、磁界すなわち磁性粒子、光学場すなわち光学粒子、またはこれらの任意の組み合わせによって表現されうる。
【０１１７】
当業者には、本明細書の開示に関連して記載した説明のための様々な論理ブロック、モジュール、回路、およびアルゴリズムステップは、電子ハードウェア、コンピュータソフトウェア、またはこの両方の組み合わせとして実施されうることがさらに理解されよう。ハードウェアとソフトウェアのこの互換性を明瞭に説明するために、説明のための様々な構成要素、ブロック、モジュール、回路、およびステップをそれらの機能に関して全般的に上記で説明した。このような機能がハードウェアとして実施されるかソフトウェアとして実施されるかは、特定の適用例とシステム全体に課された設計上の制約とにより異なる。当業者は、上記の機能を特定の適応例ごとに様々な方法で実施することができるが、そのような実施の決定が本開示の範囲を逸脱する原因となるものと理解されるべきではない。
【０１１８】
本明細書の開示に関連して記載した説明のための様々な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラム可能な論理デバイス、ディスクリートゲートすなわちトランジスタ論理回路、ディスクリートハードウェアコンポーネント、または本明細書に記載の機能を実行するように設計されたこれらの任意の組み合わせによって実施、すなわち実行されうる。汎用プロセッサはマイクロプロセッサであってよいが、代替形態としてプロセッサは、いかなる従来のプロセッサ、コントローラ、マイクロコントローラ、または状態機械であってもよい。プロセッサは、コンピューティングデバイスの組み合わせ、例えば、ＤＳＰおよびマイクロプロセッサ、複数のマイクロプロセッサ、ＤＳＰコアと連係する１つまたは複数のマイクロプロセッサ、またはいかなる他のこのような構成の組み合わせとして実施することもできる。
【０１１９】
本明細書の開示に関連して記載した方法またはアルゴリズムのステップは、ハードウェアで直接的に、またはプロセッサによって実行されるソフトウェアモジュールで、またはこれら２つの組み合わせで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、または当技術分野で周知のいかなる他の形式の記憶媒体に常駐することができる。例示の記憶媒体は、その記憶媒体からプロセッサが情報を読み取り、その記憶媒体にプロセッサが情報を書き込むことができるようにプロセッサに連結される。代替形態では、記憶装置はプロセッサと一体であってよい。プロセッサと記憶装置はＡＳＩＣに常駐することができる。ＡＳＩＣはユーザ端末に常駐することができる。代替形態では、プロセッサと記憶装置は、１つのユーザ端末にそれぞれ別個の構成要素として常駐することができる。
【０１２０】
１つまたは複数の設計例では、説明した機能は、ハードウェア、ソフトウェア、ファームウエア、またはそれらのいくつかの組み合わせとして実施することができる。ソフトウェアとして実施された場合、これらの機能は、１つまたは複数の命令またはコードとしてコンピュータ可読媒体に記憶することができるか、またはコンピュータ可読媒体を介して送ることができる。コンピュータ可読媒体は、１つの場所から別の場所にコンピュータプログラムを移動することを容易にするいかなる媒体をも含むコンピュータ記憶媒体および通信媒体の両方を含む。記憶媒体は、汎用コンピュータまたは専用コンピュータによってアクセスすることのできるいかなる使用可能な媒体であってもよい。例示としてであって限定ではないが、このようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶装置デバイス、または所望のプログラムコード手段を命令またはデータ構造の形式で担持または記憶するために使用することができ、汎用コンピュータまたは専用コンピュータまたは汎用プロセッサまたは専用プロセッサによってアクセスすることができるいかなる他の媒体を含むことができる。同様に、いかなる接続も適切にコンピュータ可読媒体と称される。例えば、ソフトウェアが同軸ケーブル、光ファイバーケーブル、より対線、デジタル加入者回線（ＤＳＬ）、または赤外線、無線、およびマイクロ波といったワイヤレス技術を使用してウェブサイト、サーバ、または他の遠隔の送信元から送信される場合、その同軸ケーブル、光ファイバーケーブル、より対線、ＤＳＬ、または赤外線、無線、およびマイクロ波といったワイヤレス技術は、媒体の定義に含まれる。本明細書で使用されるディスク（ｄｉｓｋ）およびディスク（ｄｉｓｃ）は、通常はディスク（ｄｉｓｋ）が磁気的にデータを再生し、一方、ディスク（ｄｉｓｃ）がレーザによって光学的にデータを再生する場合に、コンパクトディスク（ＣＤ）、レーザディスク、光ディスク、デジタル多用途ディスク（ＤＶＤ）、フロッピー（登録商標）ディスク、およびブルーレイディスク（登録商標）を含む。上記の組み合わせも、コンピュータ可読媒体の範囲に含まれるべきである。
【０１２１】
本開示の以上の説明は、当業者が本開示を作成または利用できるように提供された。本開示に対する様々な変形形態は当業者に容易に明らかになろう。本明細書で定義した一般的な原理は、本開示の趣旨または範囲を逸脱せずに他の変形例に適用することができる。したがって、本開示は、本明細書に記載の実施例および設計に限定されることは意図されず、本明細書で開示した原理および新規の特徴と一貫した最大範囲に一致するものである。
以下に、本願出願の当初の特許請求の範囲に記載された発明を付記する。
［Ｃ１］  ワイヤレス通信のための方法であって、
第２のセルにおける伝送を制限することによって第１のセルにおける伝送が保護される第１の組のリソースに関するチャネル状態情報（ＣＳＩ）を周期的にレポートすることと、
第２の組のリソースに関するＣＳＩを周期的にレポートすることとを備える方法。
［Ｃ２］  少なくとも前記第１の組のリソースを示すリソース区画情報（ＲＰＩ：ｒｅｓｏｕｒｃｅ  ｐａｒｔｉｔｉｏｎｉｎｇ  ｉｎｆｏｒｍａｔｉｏｎ）を受信することをさらに備えるＣ１に記載の方法。
［Ｃ３］  前記第１の組のリソースは、前記第２のセルにおける伝送を制限することによって前記第１のセルにおける伝送が保護される、前記ＲＰＩによって示される基地局に割り当てられたサブフレームの第１の部分集合を備え、
前記第２の組のリソースは、前記基地局に割り当てられた前記サブフレームの第２の部分集合を備えるＣ１に記載の方法。
［Ｃ４］  前記第１の組のリソースは、サブバンド、組すなわちリソースブロック（ＲＢ）、またはサブフレームのうちの少なくとも１つを備えるＣ１に記載の方法。
［Ｃ５］  前記第１および第２の組のリソースに関するＣＳＩを何時レポートするかを示す構成情報を受信することをさらに備えるＣ１に記載の方法。
［Ｃ６］  前記第１の組のリソースに関するＣＳＩは、第１のレポートに一緒にエンコードされたＣＱＩおよびＲＩを備え、
前記第２の組のリソースに関するＣＳＩは、第２のレポートに一緒にエンコードされたＣＱＩおよびＲＩを備えるＣ１に記載の方法。
［Ｃ７］  前記第１および第２のレポートは時分割多重（ＴＤＭ）を使用して送信されるＣ６に記載の方法。
［Ｃ８］  前記構成情報が、
前記第１の組のリソースに関するＣＳＩをレポートするための少なくとも第１の期間を備えるＣ７に記載の方法。
［Ｃ９］  前記構成情報が、
前記第２の組のリソースに関するＣＳＩをレポートするための少なくとも第２の期間を備えるＣ８に記載の方法。
［Ｃ１０］  前記構成情報が、
前記第１の期間内に前記第２の組のリソースに関するＣＳＩをレポートするためのオフセットを備えるＣ８に記載の方法。
［Ｃ１１］  前記第１および第２の組のリソースの少なくとも１つに関するＣＳＩがプリコーディングマトリクスインデックス（ＰＭＩ：ｐｒｅｃｏｄｉｎｇ  ｍａｔｒｉｘ  ｉｎｄｅｘ）を備えるＣ７に記載の方法。
［Ｃ１２］  前記第１および第２の組のリソースのうちの１つにのみ関してレポートされるＣＳＩがプリコーディングマトリクスインデックス（ＰＭＩ）を備えるＣ１１に記載の方法。
［Ｃ１３］  前記第１および第２の組のリソースのそれぞれに関するＣＳＩが少なくとも１つのチャネル品質インジケータ（ＣＱＩ）を備えるＣ１に記載の方法。
［Ｃ１４］  前記第１および第２の組のリソースに関するＣＱＩが一緒に１つの共通レポートにエンコードされてレポートされるＣ１３に記載の方法。
［Ｃ１５］  前記第１および第２の組のリソースに関するＣＱＩは、時分割多重（ＴＤＭ）を使用して送信される別個のレポートでレポートされるＣ１３に記載の方法。
［Ｃ１６］  前記第１および第２の組のリソースの少なくとも１つに関するＣＳＩが、ランク指標（ＲＩ）によって示される複数の層に依存する複数のＣＱＩを備えるＣ１３に記載の方法。
［Ｃ１７］  前記第１および第２の組のリソースの少なくとも１つに関するＣＳＩが、システム帯域幅の範囲に対して特定される広帯域ＣＱＩを備えるＣ１３に記載の方法。
［Ｃ１８］  前記第１および第２の組のリソースの少なくとも１つに関するＣＳＩが１つまたは複数のサブバンドＣＱＩを備え、各サブバンドＣＱＩは特定のサブバンドに対して特定されるＣ１３に記載の方法。
［Ｃ１９］  前記第１の組のリソースに関するＣＳＩは、それぞれが特定のサブバンドに対して特定された１つまたは複数のサブバンドＣＱＩを備え、
前記第２の組のリソースに関するＣＳＩは、システム帯域幅の範囲に対して特定される広帯域ＣＱＩを備えるＣ１８に記載の方法。
［Ｃ２０］  前記第１および第２の組のリソースの少なくとも１つに関するＣＳＩがランク指標（ＲＩ）を備えるＣ１に記載の方法。
［Ｃ２１］  前記第１および第２の組のリソースに関するＲＩが一緒に１つの共通レポートにエンコードされてレポートされるＣ２０に記載の方法。
［Ｃ２２］  前記第１の組のリソースのみに関するＲＩがレポートされるＣ２０に記載の方法。
［Ｃ２３］  前記第１および第２の組のリソースの少なくとも１つに関するＣＳＩがプリコーダマトリクスインデックス（ＰＭＩ：ｐｒｅｃｏｄｅｒ  ｍａｔｒｉｘ  ｉｎｄｅｘ）を備えるＣ１に記載の方法。
［Ｃ２４］  第２のセルにおける伝送を制限することによって第１のセルにおける伝送が保護されるリソースを使用してスケジューリング要求を送信することをさらに備えるＣ１に記載の方法。
［Ｃ２５］  前記第１および第２の組のリソースの少なくとも１つに関してレポートされたＣＳＩと共にスケジューリング要求が送信されるＣ２４に記載の方法。
［Ｃ２６］  前記第１および第２の組のリソースの少なくとも１つに関するＣＳＩが物理アップリンク制御チャネル（ＰＵＣＣＨ）で送信されるＣ１に記載の方法。
［Ｃ２７］  前記第１および第２の組のリソースの少なくとも１つに関するＣＳＩが物理アップリンク共有チャネル（ＰＵＳＣＨ）でトラヒックデータと共に送信されるＣ１に記載の方法。
［Ｃ２８］  前記第１および第２の組のリソースに関するＣＳＩがそれぞれチャネル品質インジケータ（ＣＱＩ）を備え、
前記第１および第２の組のリソースの少なくとも１つに関するＣＳＩがランク指標（ＲＩ）を備えるＣ２７に記載の方法。
［Ｃ２９］  前記ＲＩペイロードが連結され、前記連結されたペイロードがエンコードされるＣ２８に記載の方法。
［Ｃ３０］  前記連結されたＲＩペイロードのエンコーディングが、１つまたは複数のパリティビットを付加することを含むＣ２９に記載の方法。
［Ｃ３１］  前記エンコードされたＲＩペイロードが、ＰＵＳＣＨ上のトラヒックデータおよび他のエンコードされた制御情報と多重化されるＣ２９に記載の方法。
［Ｃ３２］  前記ＲＩペイロードと前記ＣＱＩペイロードとが連結され、前記連結されたペイロードがエンコードされるＣ２８に記載の方法。
［Ｃ３３］  前記連結されたＣＱＩおよびＲＩペイロードのエンコーディングが、ＣＱＩペイロードのエンコーディングと同じ規則に従うＣ３２に記載の方法。
［Ｃ３４］  前記連結されエンコードされたペイロードが、ＰＵＳＣＨ上のトラヒックデータおよび他のエンコードされた制御情報と多重化されるＣ３２に記載の方法。
［Ｃ３５］  前記ＲＩペイロードが別個にエンコードされ、前記エンコードされたペイロードが連結されるＣ２８に記載の方法。
［Ｃ３６］  前記連結されエンコードされたペイロードが、ＰＵＳＣＨ上のトラヒックデータおよび他のエンコードされた制御情報と多重化されるＣ３５に記載の方法。
［Ｃ３７］  ワイヤレス通信のための方法であって、
第２のセルにおける伝送を制限することによって第１のセルにおける伝送が保護される第１の組のリソースに関して周期的にレポートされたチャネル状態情報（ＣＳＩ）を受信することと、
第２の組のリソースに関して周期的にレポートされたＣＳＩを受信することとを備える方法。
［Ｃ３８］  少なくとも前記第１の組のリソースを示すリソース区画情報（ＲＰＩ）を送信することをさらに備えるＣ３７に記載の方法。
［Ｃ３９］  前記第１の組のリソースは、前記第２のセルにおける伝送を制限することによって前記第１のセルにおける伝送が保護される、前記ＲＰＩによって示される基地局に割り当てられたサブフレームの第１の部分集合を備え、
前記第２の組のリソースは、前記基地局に割り当てられた前記サブフレームの第２の部分集合を備えるＣ３７に記載の方法。
［Ｃ４０］  前記第１の組のリソースは、サブバンド、組すなわちリソースブロック（ＲＢ）、またはサブフレームのうちの少なくとも１つを備えるＣ３７に記載の方法。
［Ｃ４１］  前記第１および第２の組のリソースに関するＣＳＩを何時レポートするかを示す構成情報を送信することをさらに備えるＣ３７に記載の方法。
［Ｃ４２］  前記第１の組のリソースに関するＣＳＩは、第１のレポートに一緒にエンコードされたＣＱＩおよびＲＩを備え、
前記第２の組のリソースに関するＣＳＩは、第２のレポートに一緒にエンコードされたＣＱＩおよびＲＩを備えるＣ３６に記載の方法。
［Ｃ４３］  前記第１および第２のレポートは時分割多重（ＴＤＭ）を使用して送信されるＣ４２に記載の方法。
［Ｃ４４］  前記構成情報が、
前記第１の組のリソースに関するＣＳＩをレポートするための少なくとも第１の期間を備えるＣ４３に記載の方法。
［Ｃ４５］  前記構成情報が、
前記第２の組のリソースに関するＣＳＩをレポートするための少なくとも第２の期間を備えるＣ４４に記載の方法。
［Ｃ４６］  前記構成情報が、
前記第１の期間内に前記第２の組のリソースに関するＣＳＩをレポートするためのオフセットを備えるＣ４４に記載の方法。
［Ｃ４７］  前記第１および第２の組のリソースの少なくとも１つに関するＣＳＩがプリコーディングマトリクスインデックス（ＰＭＩ）を備えるＣ４３に記載の方法。
［Ｃ４８］  ワイヤレス通信のための装置であって、
第２のセルにおける伝送を制限することによって第１のセルにおける伝送が保護される第１の組のリソースに関するチャネル状態情報（ＣＳＩ）を周期的にレポートするための手段と、
第２の組のリソースに関するＣＳＩを周期的にレポートするための手段とを備える装置。
［Ｃ４９］  少なくとも前記第１の組のリソースを示すリソース区画情報（ＲＰＩ）を受信するための手段をさらに備えるＣ４８に記載の装置。
［Ｃ５０］  前記第１の組のリソースは、前記第２のセルにおける伝送を制限することによって前記第１のセルにおける伝送が保護される、前記ＲＰＩによって示される基地局に割り当てられたサブフレームの第１の部分集合を備え、
前記第２の組のリソースは、前記基地局に割り当てられた前記サブフレームの第２の部分集合を備えるＣ４８に記載の装置。
［Ｃ５１］  前記第１の組のリソースは、サブバンド、組すなわちリソースブロック（ＲＢ）、またはサブフレームのうちの少なくとも１つを備えるＣ４８に記載の装置。
［Ｃ５２］  前記第１および第２の組のリソースに関するＣＳＩを何時レポートするかを示す構成情報を受信するための手段をさらに備えるＣ４８に記載の装置。
［Ｃ５３］  前記第１の組のリソースに関するＣＳＩは、第１のレポートに一緒にエンコードされたＣＱＩおよびＲＩを備え、
前記第２の組のリソースに関するＣＳＩは、第２のレポートに一緒にエンコードされたＣＱＩおよびＲＩを備えるＣ４８に記載の装置。
［Ｃ５４］  前記第１および第２のレポートは時分割多重（ＴＤＭ）を使用して送信されるＣ５３に記載の装置。
［Ｃ５５］  前記構成情報が、
前記第１の組のリソースに関するＣＳＩをレポートするための少なくとも第１の期間を備えるＣ５３に記載の装置。
［Ｃ５６］  前記構成情報が、
前記第２の組のリソースに関するＣＳＩをレポートするための少なくとも第２の期間を備えるＣ５５に記載の装置。
［Ｃ５７］  前記構成情報が、
前記第１の期間内に前記第２の組のリソースに関するＣＳＩをレポートするためのオフセットを備えるＣ５５に記載の装置。
［Ｃ５８］  ワイヤレス通信のための装置であって、
第２のセルにおける伝送を制限することによって第１のセルにおける伝送が保護される第１の組のリソースに関して周期的にレポートされたチャネル状態情報（ＣＳＩ）を受信するための手段と、
第２の組のリソースに関して周期的にレポートされたＣＳＩを受信するための手段とを備える装置。
［Ｃ５９］  少なくとも前記第１の組のリソースを示すリソース区画情報（ＲＰＩ）を送信するための手段をさらに備えるＣ５８に記載の装置。
［Ｃ６０］  前記第１の組のリソースは、前記第２のセルにおける伝送を制限することによって前記第１のセルにおける伝送が保護される、前記ＲＰＩによって示される基地局に割り当てられたサブフレームの第１の部分集合を備え、
前記第２の組のリソースは、前記基地局に割り当てられた前記サブフレームの第２の部分集合を備えるＣ５８に記載の装置。
［Ｃ６１］  前記第１の組のリソースは、サブバンド、組すなわちリソースブロック（ＲＢ）、またはサブフレームのうちの少なくとも１つを備えるＣ５８に記載の装置。
［Ｃ６２］  前記第１および第２の組のリソースに関するＣＳＩを何時レポートするかを示す構成情報を送信するための手段をさらに備えるＣ５８に記載の装置。
［Ｃ６３］  前記第１の組のリソースに関するＣＳＩは、第１のレポートに一緒にエンコードされたＣＱＩおよびＲＩを備え、
前記第２の組のリソースに関するＣＳＩは、第２のレポートに一緒にエンコードされたＣＱＩおよびＲＩを備えるＣ５８に記載の装置。
［Ｃ６４］  前記第１および第２のレポートは時分割多重（ＴＤＭ）を使用して送信されるＣ６３に記載の装置。
［Ｃ６５］  前記構成情報が、
前記第１の組のリソースに関するＣＳＩをレポートするための少なくとも第１の期間を備えるＣ６４に記載の装置。
［Ｃ６６］  前記構成情報が、
前記第２の組のリソースに関するＣＳＩをレポートするための少なくとも第２の期間を備えるＣ６５に記載の装置。
［Ｃ６７］  前記構成情報が、
前記第１の期間内に前記第２の組のリソースに関するＣＳＩをレポートするためのオフセットを備えるＣ６５に記載の装置。
［Ｃ６８］  前記第１および第２の組のリソースの少なくとも１つに関するＣＳＩがプリコーディングマトリクスインデックス（ＰＭＩ）を備えるＣ６４に記載の装置。
［Ｃ６９］  第２のセルにおける伝送を制限することによって第１のセルにおける伝送が保護される第１の組のリソースに関するチャネル状態情報（ＣＳＩ）を周期的にレポートし、第２の組のリソースに関するＣＳＩを周期的にレポートするように構成された少なくとも１つのプロセッサと、
前記少なくとも１つのプロセッサと連結されたメモリとを備える装置。
［Ｃ７０］  第２のセルにおける伝送を制限することによって第１のセルにおける伝送が保護される第１の組のリソースに関して周期的にレポートされたチャネル状態情報（ＣＳＩ）を受信し、第２の組のリソースに関して周期的にレポートされたＣＳＩを受信するように構成された少なくとも１つのプロセッサと、
前記少なくとも１つのプロセッサと連結されたメモリとを備える装置。
［Ｃ７１］  命令を記憶したコンピュータ可読媒体を備えるコンピュータプログラム製品であって、前記命令は、
第２のセルにおける伝送を制限することによって第１のセルにおける伝送が保護される第１の組のリソースに関するチャネル状態情報（ＣＳＩ）を周期的にレポートし、
第２の組のリソースに関するＣＳＩを周期的にレポートするために１つまたは複数のプロセッサによって実行可能なコンピュータプログラム製品。
［Ｃ７２］  命令を記憶したコンピュータ可読媒体を備えるコンピュータプログラム製品であって、前記命令は、
第２のセルにおける伝送を制限することによって第１のセルにおける伝送が保護される第１の組のリソースに関して周期的にレポートされたチャネル状態情報（ＣＳＩ）を受信し、
第２の組のリソースに関して周期的にレポートされたＣＳＩを受信するためにプロセッサによって実行可能なコンピュータプログラム製品。
【図１】
0005642872.tif 000010
【図２】
0005642872.tif 000011
【図３】
0005642872.tif 000012
【図４】
0005642872.tif 000013
【図５】
0005642872.tif 000014
【図６】
0005642872.tif 000015
【図７】
0005642872.tif 000016
【図８】
0005642872.tif 000017
【図９】
0005642872.tif 000018
【図１０】
0005642872.tif 000019
【図１１】
0005642872.tif 000020
【図１２】
0005642872.tif 000021